(57)【特許請求の範囲】
【請求項１】
ユーザの眼前に配置される表示部と、
通信部と、
外部の出力機器とユーザとの相対変化を検出する相対変化検出部と、
前記相対変化検出部の検出結果に基づいて、前記外部の出力機器が表示している外部表示画像をユーザが視認している第１状態であるか、当該外部表示画像をユーザが視認していない第２状態であるか、を判定可能な状態判定部と、
前記状態判定部で前記第１状態から前記第２状態に遷移したことを検出した場合、前記外部表示画像に対応する画像データを外部から受信するように前記通信部を制御し、当該受信された画像データに基づき表示画像を前記表示部に表示させる表示動作を実行する動作制御部と、
を備え、
前記相対変化検出部は、前記外部の出力機器が出力する音声を集音可能な集音部を備え、
前記状態判定部は、前記第１状態である場合において、前記集音した音声の所定の音特性を検出し、当該音特性における所定の変化を検出した場合には、前記第１状態から前記第２状態に遷移したと判定するウェアラブル装置。
【請求項２】
ユーザの眼前に配置される表示部と、
通信部と、
外部の出力機器とユーザとの相対変化を検出する相対変化検出部と、
前記相対変化検出部の検出結果に基づいて、前記外部の出力機器が表示している外部表示画像をユーザが視認している第１状態であるか、当該外部表示画像をユーザが視認していない第２状態であるか、を判定可能な状態判定部と、
前記状態判定部で前記第１状態から前記第２状態に遷移したことを検出した場合、前記外部表示画像に対応する画像データを外部から受信するように前記通信部を制御し、当該受信された画像データに基づき表示画像を前記表示部に表示させる表示動作を実行する動作制御部と、
音声に関する情報を出力する出力部と、を備え、
前記相対変化検出部は、前記外部の出力機器が出力する外部音声を集音可能な集音部を備え、
前記状態判定部は、前記第２状態において、前記外部音声の所定の音特性を検出し、当該音特性が所定条件を満たすか否かを判定し、
前記動作制御部は、前記第２状態において、前記状態判定部で前記音特性が前記所定条件を満たすと判定した場合には、前記外部音声に対応する音声データを外部から受信するように前記通信部を制御し、前記受信した音声データに基づく音声を前記出力部から出力させる音声出力動作を、前記表示動作とともに実行するウェアラブル装置。
【請求項３】
前記状態判定部は、前記所定条件として、前記集音した外部音声の音量が所定値以下であるかを判定する
請求項２に記載のウェアラブル装置。
【請求項４】
ユーザの眼前に配置される表示部と、
通信部と、
外部の出力機器とユーザとの相対変化を検出する相対変化検出部と、
前記相対変化検出部の検出結果に基づいて、前記外部の出力機器が表示している外部表示画像をユーザが視認している第１状態であるか、当該外部表示画像をユーザが視認していない第２状態であるか、を判定可能な状態判定部と、
前記状態判定部で前記第１状態から前記第２状態に遷移したことを検出した場合、前記外部表示画像に対応する画像データを外部から受信するように前記通信部を制御し、当該受信された画像データに基づき表示画像を前記表示部に表示させる表示動作を実行する動作制御部と、を備え、
前記相対変化検出部は、前記外部の出力機器が出力する音声を集音可能な集音部を備え、
前記状態判定部は、前記第２状態において、前記集音した外部音声の音量を検出し、当該音量の変化があるか否かを判定し、
前記動作制御部は、前記第２状態において、前記状態判定部で前記音量の変化があると判定した場合には、前記外部の出力機器に音量調整を実行させるための制御信号を当該外部の出力機器へ送信するように前記通信部を制御するウェアラブル装置。
【請求項５】
前記動作制御部は、前記音量の変化が当該音量の減少である場合には、前記外部の出力機器が出力する音声の音量を増大させるための制御信号を、当該外部の出力機器へ送信するように前記通信部を制御し、
前記音量の変化が当該音量の増大である場合には、前記外部の出力機器が出力する音声の音量を低下させるための制御信号を、当該外部の出力機器へ送信するように前記通信部を制御する
請求項４に記載のウェアラブル装置。
【請求項６】
ユーザの眼前に配置される表示部と、
通信部と、
外部の出力機器とユーザとの相対変化を検出する相対変化検出部と、
前記相対変化検出部の検出結果に基づいて、前記外部の出力機器が表示している外部表示画像をユーザが視認している第１状態であるか、当該外部表示画像をユーザが視認していない第２状態であるか、を判定可能な状態判定部と、
前記状態判定部で前記第１状態から前記第２状態に遷移したことを検出した場合、前記外部表示画像に対応する画像データを外部から受信するように前記通信部を制御し、当該受信された画像データに基づき表示画像を前記表示部に表示させる表示動作を実行する動作制御部と、
音声に関する情報を出力する出力部と、を備え、
前記状態判定部は、前記第１状態から前記第２状態へ遷移すると、当該遷移後において、前記外部表示画像を視認している他者が居るか否かを判定し、
前記動作制御部は、前記外部表示画像を視認している他者が居る場合には、前記外部から音声データを受信し、前記音声データに基づき、前記音声を前記出力部から出力する音声出力動作を、前記表示動作とともに実行し、
前記外部表示画像を視認している他者が居ない場合には、前記音声出力動作を実行することなく、前記表示動作を実行するウェアラブル装置。
【請求項７】
ユーザの眼前に配置される表示部と、外部の出力機器が出力する音声を集音可能な集音部とを備える、頭部に装着可能なウェアラブル装置と、
前記ウェアラブル装置の外部の出力機器と、
を備える出力システムであって、
前記ウェアラブル装置は、前記外部の出力機器が表示している外部表示画像を前記ユーザが視認している第１状態から、当該外部表示画像を前記ユーザが視認していない第２状態に遷移したことを検出した場合に、前記外部表示画像に対応する画像データの要求を前記外部の出力機器へ送信し、
前記外部の出力機器は、前記画像データの要求に応じて、当該画像データを前記ウェアラブル装置へ送信し、
前記ウェアラブル装置は、受信した前記画像データに基づき表示画像を前記表示部に表示させ、
前記ウェアラブル装置は、前記第１状態である場合において、前記集音した音声の所定の音特性を検出し、当該音特性における所定の変化を検出した場合には、前記第１状態から前記第２状態に遷移したことを検出する
出力システム。
【請求項８】
ユーザの眼前に配置される表示部と、音声に関する情報を出力する出力部と、外部の出力機器が出力する外部音声を集音可能な集音部とを備える、頭部に装着可能なウェアラブル装置と、
前記ウェアラブル装置の外部の出力機器と、
を備える出力システムであって、
前記ウェアラブル装置は、前記外部の出力機器が表示している外部表示画像を前記ユーザが視認している第１状態から、当該外部表示画像を前記ユーザが視認していない第２状態に遷移したことを検出した場合に、前記外部表示画像に対応する画像データの要求を前記外部の出力機器へ送信し、
前記外部の出力機器は、前記画像データの要求に応じて、当該画像データを前記ウェアラブル装置へ送信し、
前記ウェアラブル装置は、受信した前記画像データに基づき表示画像を前記表示部に表示させ、
前記ウェアラブル装置は、前記第２状態において、前記外部音声の所定の音特性を検出し、当該音特性が所定条件を満たすか否かを判定し、
前記ウェアラブル装置は、前記第２状態において、前記音特性が前記所定条件を満たすと判定した場合には、前記外部音声に対応する音声データを外部から受信し、前記受信した音声データに基づく音声を前記出力部から出力させる音声出力動作を、前記表示部に表示させる表示動作とともに実行する
出力システム。
【請求項９】
ユーザの眼前に配置される表示部と、外部の出力機器が出力する音声を集音可能な集音部とを備える、頭部に装着可能なウェアラブル装置と、
前記ウェアラブル装置の外部の出力機器と、
を備える出力システムであって、
前記ウェアラブル装置は、前記外部の出力機器が表示している外部表示画像を前記ユーザが視認している第１状態から、当該外部表示画像を前記ユーザが視認していない第２状態に遷移したことを検出した場合に、前記外部表示画像に対応する画像データの要求を前記外部の出力機器へ送信し、
前記外部の出力機器は、前記画像データの要求に応じて、当該画像データを前記ウェアラブル装置へ送信し、
前記ウェアラブル装置は、受信した前記画像データに基づき表示画像を前記表示部に表示させ、
前記ウェアラブル装置は、前記第２状態において、前記集音した外部音声の音量を検出し、当該音量の変化があるか否かを判定し、
前記ウェアラブル装置は、前記第２状態において、前記音量の変化があると判定した場合には、前記外部の出力機器に音量調整を実行させるための制御信号を当該外部の出力機器へ送信する
出力システム。
【請求項１０】
ユーザの眼前に配置される表示部と、音声に関する情報を出力する出力部とを備える、頭部に装着可能なウェアラブル装置と、
前記ウェアラブル装置の外部の出力機器と、
を備える出力システムであって、
前記ウェアラブル装置は、前記外部の出力機器が表示している外部表示画像を前記ユーザが視認している第１状態から、当該外部表示画像を前記ユーザが視認していない第２状態に遷移したことを検出した場合に、前記外部表示画像に対応する画像データの要求を前記外部の出力機器へ送信し、
前記外部の出力機器は、前記画像データの要求に応じて、当該画像データを前記ウェアラブル装置へ送信し、
前記ウェアラブル装置は、受信した前記画像データに基づき表示画像を前記表示部に表示させる表示動作を実行し、
前記ウェアラブル装置は、前記第１状態から前記第２状態へ遷移すると、当該遷移後において、前記外部表示画像を視認している他者が居るか否かを判定し、
前記ウェアラブル装置は、前記外部表示画像を視認している他者が居る場合には、前記外部から音声データを受信し、前記音声データに基づき、前記音声を前記出力部から出力する音声出力動作を、前記表示動作とともに実行し、
前記ウェアラブル装置は、前記外部表示画像を視認している他者が居ない場合には、前記音声出力動作を実行することなく、前記表示動作を実行する
出力システム。
【発明の詳細な説明】
【技術分野】
【０００１】
この発明は、ユーザに装着可能なウェアラブル装置及び出力システムに関する。
【背景技術】
【０００２】
上記のウェアラブル装置として、近年、テレビ、ディジタルオーディオプレイヤー等の複数の外部装置を相互に識別するための複数の識別画像を一覧表示する第１の表示領域と、前記複数の外部装置の中から選択された一の外部装置が表示する画像である表示画像を表示する第２の表示領域と、を含む統合画像を生成する生成部と、前記統合画像を画像表示装置の使用者に視認させる画像表示部と、を備える、頭部装着型表示装置が開示されている（特許文献１参照）。
【先行技術文献】
【特許文献】
【０００３】
【特許文献１】特開２０１５−６４４７６号公報
【発明の概要】
【発明が解決しようとする課題】
【０００４】
ユーザに装着可能なウェアラブル装置においては、外部装置が表示する画像を、より適切な時機に表示することが望まれている。
【０００５】
本発明の目的は、外部装置が表示する画像を、ウェアラブル装置により適切な時機に表示するウェアラブル装置及び出力システムを提供することにある。
【課題を解決するための手段】
【０００６】
１つの態様に係るウェアラブル装置は、ユーザの眼前に配置される表示部と、通信部と、外部の出力機器とユーザとの相対変化を検出する相対変化検出部と、前記相対変化検出部の検出結果に基づいて、前記外部の出力機器が表示している外部表示画像をユーザが視認している第１状態であるか、当該外部表示画像をユーザが視認していない第２状態であるか、を判定可能な状態判定部と、前記状態判定部で前記第１状態から前記第２状態に遷移したことを検出した場合、前記外部表示画像に対応する画像データを外部から受信するように前記通信部を制御し、当該受信された画像データに基づき表示画像を前記表示部に表示させる表示動作を実行する動作制御部と、を備える。
【０００７】
１つの態様に係る出力システムは、ユーザの眼前に配置される表示部を備える、頭部に装着可能なウェアラブル装置と、前記ウェアラブル装置の外部の出力機器と、を備える出力システムであって、前記ウェアラブル装置は、前記外部の出力機器が表示している外部表示画像を前記ユーザが視認している第１状態から、当該外部表示画像を前記ユーザが視認していない第２状態に遷移したことを検出した場合に、前記外部表示画像に対応する画像データの要求を前記外部の出力機器へ送信し、前記外部の出力機器は、前記画像データの要求に応じて、当該画像データを前記ウェアラブル装置へ送信し、前記ウェアラブル装置は、受信した前記画像データに基づき表示画像を前記表示部に表示させる。
【０００８】
１つの態様に係る出力システムは、ユーザの眼前に配置される表示部を備える、頭部に装着可能なウェアラブル装置と、前記ウェアラブル装置の外部の出力機器と、を備える出力システムであって、前記外部の出力機器は、当該外部の出力機器が表示している外部表示画像をユーザが視認している第１状態から、当該外部表示画像をユーザが視認していない第２状態に遷移したことを検出した場合に、前記外部表示画像に対応する画像データを前記ウェアラブル装置へ送信し、前記ウェアラブル装置は、受信された前記画像データに基づき表示画像を前記表示部に表示させる。
【図面の簡単な説明】
【０００９】
【図１】図１は、ウェアラブル装置の斜視図である。
【図２】図２は、ウェアラブル装置のブロック図である。
【図３】図３は、ウェアラブル装置による制御の例を示す図である。
【図４】図４は、ウェアラブル装置による制御に係る処理手順を示すフローチャートである。
【図５】図５は、ウェアラブル装置による制御に係る変形例の処理手順を示すフローチャートである。
【図６】図６は、ウェアラブル装置による制御に係る変形例の処理手順を示すフローチャートである。
【図７】図７は、ウェアラブル装置による制御に係る変形例の処理手順を示すフローチャートである。
【図８】図８は、表示画像の大きさの例を示す図である。
【図９】図９は、ウェアラブル装置による制御に係る変形例の処理手順を示すフローチャートである。
【図１０】図１０は、出力システムの全体的な構成を示す図である。
【図１１】図１１は、出力機器のブロック図である。
【図１２】図１２は、出力機器の利用時における出力システムの動作を示すシーケンス図である。
【図１３】図１３は、出力機器の利用時における出力システムの動作の変形例を示すシーケンス図である。
【図１４】図１４は、出力機器の利用時における出力システムの動作の変形例を示すシーケンス図である。
【図１５】図１５は、出力機器の利用時における出力システムの動作の他の例を示すシーケンス図である。
【図１６】図１６は、出力システムの全体的な構成を示す図である。
【図１７】図１７は、中継器のブロック図である。
【図１８】図１８は、出力機器の利用時における出力システムの動作を示すシーケンス図である。
【発明を実施するための形態】
【００１０】
本出願に係るウェアラブル装置及び出力システムを実施するための複数の実施形態を、図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。
【００１１】
（実施形態１）
まず、図１を参照しながら、ウェアラブル装置２０の全体的な構成について説明する。図１は、ウェアラブル装置２０の斜視図である。ウェアラブル装置２０は、ユーザの頭部に装着されるヘッドマウントタイプの装置である。以下の説明においては、同様の構成要素には同一の符号を付し、重複する説明は省略することがある。
【００１２】
ウェアラブル装置２０は、前面部２０ａと、側面部２０ｂと、側面部２０ｃとを有する。前面部２０ａは、装着時に、ユーザの両目を覆うようにユーザの正面に配置される。前面部２０ａは、ブリッジと、ブリッジを隔てて左右に設けられる二つの縁部（リム）とが一体となって構成されている。側面部２０ｂは、前面部２０ａの一方の端部に接続され、側面部２０ｃは、前面部２０ａの他方の端部に接続される。側面部２０ｂ及び側面部２０ｃは、装着時に、眼鏡の蔓のようにユーザの耳によって支持され、ウェアラブル装置２０を安定させる。側面部２０ｂ及び側面部２０ｃは、装着時に、ユーザの頭部の背面で接続されるように構成されてもよい。
【００１３】
前面部２０ａは、装着時にユーザの目と対向する面に表示部２ａ及び表示部２ｂを備える。表示部２ａは、装着時にユーザの右目と対向する位置に配設される。表示部２ｂは、装着時にユーザの左目と対向する位置に配設される。表示部２ａは、右目用の画像を表示する。表示部２ｂは、左目用の画像を表示する。このように、装着時にユーザのそれぞれの目に対応した画像を表示する表示部２ａ及び表示部２ｂを備えることにより、ウェアラブル装置２０は、両眼の視差を利用した３次元表示を実現することができる。
【００１４】
表示部２ａ及び表示部２ｂは、一対の半透過ディスプレイであるが、これに限定されない。例えば、表示部２ａ及び表示部２ｂは、メガネレンズ、サングラスレンズ、及び紫外線カットレンズ等のレンズ類を設け、レンズとは別に表示部２ａ及び表示部２ｂを設けてもよい。表示部２ａ及び表示部２ｂは、ユーザの右目と左目に異なる画像を独立して提供することができれば、１つの表示デバイスによって構成されてもよい。
【００１５】
前面部２０ａは、ウェアラブル装置２０の装着時に、ユーザの顔に対向する面とは反対側の面に撮像部７を備える。撮像部７は、ユーザの前方を撮像する。例えば、撮像部７は、ユーザの前方の視界に相当する範囲の画像を取得する。視界とは、例えば、ユーザが正面を見ているときの視界を含む。
【００１６】
ウェアラブル装置２０は、ユーザが視認している前景に各種情報を視認させる機能を有する。前景とは、ユーザの前方の風景である。ウェアラブル装置２０は、表示部２ａ及び表示部２ｂが表示を行っていない場合、表示部２ａ及び表示部２ｂを透して前景をユーザに視認させる。ウェアラブル装置２０は、表示部２ａ及び表示部２ｂが表示を行っている場合、表示部２ａ及び表示部２ｂを透した前景と、表示部２ａ及び表示部２ｂの表示内容とをユーザに視認させる。ウェアラブル装置２０は、３次元的な情報を表示部２ａ及び表示部２ｂに表示させてもよい。
【００１７】
図１では、ウェアラブル装置２０が、眼鏡のような形状を有する例を示したが、ウェアラブル装置２０の形状はこれに限定されない。例えば、ウェアラブル装置２０は、ゴーグルの形状を有してもよい。ウェアラブル装置２０は、例えば、情報処理装置、バッテリ装置等の外部装置と有線または無線で接続される構成であってもよい。
【００１８】
次に、図２を参照しながら、ウェアラブル装置２０の機能的な構成について説明する。図２は、ウェアラブル装置２０のブロック図である。図２に示すように、ウェアラブル装置２０は、表示部２ａ及び表示部２ｂと、操作部３と、通信部６と、撮像部７と、集音部８と、記憶部９と、制御部１０と、出力部１１と、検出部１６とを備える。本実施形態のウェアラブル装置２０は、撮像部７と集音部８と検出部１６とが相対変化検出部２１に含まれる。
【００１９】
表示部２ａ及び２ｂは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）等の半透過または透過の表示デバイスを備える。表示部２ａ及び２ｂは、制御部１０から入力される制御信号に従って各種の情報を表示できる。表示部２ａ及び２ｂは、レーザー光線等の光源を用いてユーザの網膜に画像を投影する投影装置であってもよい。
【００２０】
操作部３は、ユーザの操作を受け付けることができる。操作部３は、操作を受け付けるために、ボタン、キー、タッチスクリーン等の入力デバイスを用いることができる。図１に示す例では、操作部３は、前面部２０ａと側面部２０ｂと側面部２０ｃとの各々に設けられて、接触を検出するタッチセンサを含む。タッチセンサは、例えば、静電容量式、超音波式、感圧式、抵抗膜式、光検知式等、各種方式のセンサを用いることができる。なお、操作部３は、前面部２０ａと側面部２０ｂと側面部２０ｃの何れか一方に設ける構成であってもよい。例えば、操作部３は、ウェアラブル装置２０の起動、停止、動作モードの変更等の基本的な操作を受け付ける。
【００２１】
通信部６は、無線により通信できる。通信部６は、近距離無線通信方式をサポートできる。近距離無線通信方式には、Ｂｌｕｅｔｏｏｔｈ（登録商標）、無線ＬＡＮ（ＩＥＥＥ８０２．１１）、ＺｉｇＢｅｅ（登録商標）、赤外線通信、可視光通信、ＮＦＣ（Ｎｅａｒ  Ｆｉｅｌｄ  Ｃｏｍｍｕｎｉｃａｔｉｏｎ）等を含む。通信部６は、複数の通信方式をサポートしてもよい。通信部６は、例えば、２Ｇ、３Ｇ、４Ｇ等のセルラーフォンの通信規格をサポートしてもよい。
【００２２】
通信部６は、放送電波を受信する。通信部６が受信する電波は、テレビの電波であってもよいし、ラジオの電波であってもよい。放送に用いられる電波の周波数帯は、複数の物理チャンネルに分割されている。通信部６は、受信した電波を信号へ変換して制御部１０へ入力する。本実施形態では、通信部６は、テレビ、ラジオ等のチューナーを兼ねる場合について説明するが、これに限定されない。ウェアラブル装置２０は、通信部６とは別にチューナー部を備えてもよい。
【００２３】
撮像部７は、ユーザの前方における撮像範囲を撮像できる。撮像部７は、ＣＣＤ（Ｃｈａｒｇｅ  Ｃｏｕｐｌｅｄ  Ｄｅｖｉｃｅ  Ｉｍａｇｅ  Ｓｅｎｓｏｒ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサを用いて電子的に画像を撮像できる。撮像部７は、撮像した画像を信号に変換して制御部１０へ出力できる。
【００２４】
集音部８は、ウェアラブル装置２０の周囲の音を集音できる。集音部８は、例えば、マイクを含む。集音部８は、集音結果を音信号へ変換して制御部１０へ入力できる。出力部１１は、例えば、制御部１０から入力される音信号を音として出力できる。出力部１１は、例えば、スピーカ、イヤホンジャックを含む。
【００２５】
記憶部９は、プログラム及びデータを記憶できる。記憶部９は、制御部１０の処理結果を一時的に記憶する作業領域としても利用される。記憶部９は、半導体記憶媒体、及び磁気記憶媒体等の任意の非一過的（ｎｏｎ−ｔｒａｎｓｉｔｏｒｙ）な記憶媒体を含んでよい。記憶部９は、複数の種類の記憶媒体を含んでよい。記憶部９は、メモリカード、光ディスク、又は光磁気ディスク等の可搬の記憶媒体と、記憶媒体の読み取り装置との組み合わせを含んでよい。記憶部９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２６】
記憶部９は、例えば、制御プログラム９ａ、設定データ９ｂ、撮像データ９ｃ及び音データ９ｄを記憶できる。制御プログラム９ａは、ウェアラブル装置２０を稼動させるための各種制御に関する機能を提供できる。制御プログラム９ａは、例えば、通信部６を制御することによって、外部の通信装置との通信を実現させる。制御プログラム９ａが提供する機能は、表示部２ａ及び２ｂを制御することによって、画像データの表示を実現させる。画像データは、例えば、静止画、動画等のデータを含む。制御プログラム９ａが提供する機能は、ユーザが第１状態であるか、第２状態であるかを判定する機能を含む。第１状態は、外部の出力機器が表示している外部表示画像をユーザが視認している状態である。第２状態は、当該外部表示画像をユーザが視認していない状態である。記憶部９は、外部の出力機器等から受信した画像データを記憶できる。
【００２７】
設定データ９ｂは、ユーザが外部表示画像を視認している第１状態であるか否かを判定するための条件データを含む。条件データは、例えば、撮像画像から判定するための条件を示すデータを含む。条件データは、例えば、ユーザの状態を判定するための条件を示すデータを含む。
【００２８】
撮像データ９ｃは、撮像部７によって撮像範囲を撮像した撮像画像を示すデータである。撮像データ９ｃは、例えば、静止画データと動画データとが含まれる。撮像データ９ｃには、撮像部７の撮像結果として送信されてくる撮像画像を時系列的に記憶できる。
【００２９】
音データ９ｄは、集音部８によって集音された音を示すデータである。音データ９ｄは、例えば、音量、音の波形、周波数等を示すデータを含む。音データ９ｄには、集音部８の集音結果として送信されてくる音データを時系列的に記憶できる。
【００３０】
制御部１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、及びコプロセッサを含むが、これらに限定されない。制御部１０は、ウェアラブル装置２０の動作を統括的に制御できる。制御部１０の各種機能は、制御部１０の制御に基づいて実現される。
【００３１】
具体的には、制御部１０は、記憶部９に記憶されているプログラムに含まれる命令を実行できる。制御部１０は、記憶部９に記憶されているデータを必要に応じて参照できる。制御部１０は、データ及び命令に応じて機能部を制御する。制御部１０は、機能部を制御することによって、各種機能を実現する。機能部は、例えば、表示部２ａ及び２ｂ、通信部６、集音部８、及び出力部１１を含むが、これらに限定されない。制御部１０は、状態判定部１０ａと動作制御部１０ｂを含む。制御部１０は、制御プログラム９ａを実行することによって、状態判定部１０ａを実現する。状態判定部１０ａは、第１状態であるか、第２状態であるかを判定する機能を提供できる。動作制御部１０ｂは、表示部２ａ及び２ｂの表示動作や、出力部１１からの音声出力動作を制御する。動作制御部１０ｂは、状態判定部１０ａや検出部１６の検出結果に応じて、制御を変更することがある。
【００３２】
検出部１６は、撮像部７の周囲近傍に存在する物体を検出するセンサを有する。センサは、例えば、可視光、赤外線、紫外線、電波、音波、磁気、静電容量の少なくとも１つを検出し、撮像範囲に存在する現実の物体を検出するセンサである。検出部１６は、検出した撮像範囲に存在する現実の物体の変化に基づいて、現実の物体とウェアラブル装置２０との相対移動を検出する。検出部１６は、可視光、赤外線、紫外線、電波、音波、磁気、静電容量のうち、複数の値を検出し、複数の検出結果に基づいて、撮像範囲内から撮像範囲外への物体の移動を検出してもよい。検出部１６は、加速度センサをさらに有してもよい。加速度センサは、ウェアラブル装置２０に働く加速度を検出できる。加速度センサの検出結果は、ウェアラブル装置２０を携帯するユーザの移動、停止を検出するために用いることができる。
【００３３】
次に、図３を参照しながら、制御プログラム９ａが提供する機能に基づく制御の例について説明する。図３は、ウェアラブル装置２０による制御の例を示す図である。
【００３４】
図３に示すステップＳ１１では、ユーザは、ウェアラブル装置２０を起動させ、当該ウェアラブル装置２０を頭部に装着した状態で、前方の出力機器３０を視聴している。すなわち、ユーザは、表示部２ａ及び２ｂを透して、ウェアラブル装置２０の前方の出力機器３０が表示している外部表示画像Ｐを視認している。出力機器３０は、ウェアラブル装置２０の外部に配置されている。出力機器３０は、ユーザに対して各種情報を出力できる。出力機器３０は、例えば、映像を表示することができる。出力機器３０は、例えば、音声、音等を出力することができる。
【００３５】
図３に示す例では、出力機器３０は、テレビである場合について説明するが、これに限定されない。出力機器３０は、例えば、パーソナルコンピュータ、表示機能を有するオーディオ機器等の他の電子機器としてもよい。
【００３６】
ウェアラブル装置２０は、ステップＳ１１として、撮像部７によってユーザの前方の撮像範囲７ａを撮像する。ユーザが出力機器３０を視聴している場合、撮像範囲７ａを撮像した撮像画像は、出力機器３０を含んでいる可能性が高い。一方、ユーザが出力機器３０を視聴していない場合、撮像範囲７ａを撮像した撮像画像は、出力機器３０の全てまたは一部を含んでいない可能性が高い。ウェアラブル装置２０は、撮像した撮像画像を解析し、撮像範囲７ａにおける所定範囲Ｒ内に出力機器３０が存在するか否かを判別する。
【００３７】
例えば、ウェアラブル装置２０は、撮像した撮像画像から出力機器３０のフレーム、表示領域等を示す領域を推定する。ウェアラブル装置２０は、所定時間の間に撮像した撮像画像から、推定した領域内に出力機器３０の外部表示画像Ｐが表示されているかを判別する。例えば、推定した領域内の画像が変化している場合、当該画像は映像である可能性が高い。ウェアラブル装置２０は、特定した領域内の画像が変化している場合に、所定範囲Ｒ内に出力機器３０の外部表示画像Ｐが存在すると判別することができる。
【００３８】
図３に示す例では、所定範囲Ｒは、撮像部７の撮像範囲７ａと略同一である場合について説明するが、これに限定されない。例えば、所定範囲Ｒは、撮像部７の撮像範囲７ａよりも狭い範囲としてもよい。
【００３９】
ウェアラブル装置２０は、ステップＳ１１に示すように、撮像画像から所定範囲Ｒ内に出力機器３０の外部表示画像Ｐが含まれている場合に、出力機器３０の外部表示画像Ｐをユーザが視認している第１状態であると判定する。ウェアラブル装置２０は、第１状態であると判定すると、当該第１状態から第２状態へ遷移したか否かを判定する。第２状態は、出力機器３０の外部表示画像Ｐをユーザが視認していない状態である。
【００４０】
ステップＳ１２では、ユーザは、例えば、視聴している場所から他の場所に移動するために、出力機器３０に向かっていた頭部の向きが左方向へ向かって変化している。すなわち、ウェアラブル装置２０の所定範囲Ｒ内に収まっている出力機器３０は、ユーザの向きの変化に伴って所定範囲Ｒ内を右方向へ移動している。
【００４１】
ウェアラブル装置２０は、ステップＳ１２として、撮像した撮像画像から、所定範囲Ｒ内に外部表示画像Ｐが含まれているか否かの判定を継続する。ウェアラブル装置２０は、所定範囲Ｒ内に外部表示画像Ｐが含まれている場合、第１状態であると判定する。なお、図３に示す例では、ウェアラブル装置２０は、所定範囲Ｒ内から外部表示画像Ｐの全てが外れるまで第１状態であると判定する場合について説明するが、これに限定されない。例えば、ウェアラブル装置２０は、所定範囲Ｒ内から外部表示画像Ｐの一部が外れた場合に、第１状態ではないと判定してもよい。
【００４２】
ステップＳ１３では、ユーザは、ウェアラブル装置２０を装着した状態で、移動を継続し、出力機器３０を視認できない方向へ頭部の向きが変化している。すなわち、ウェアラブル装置２０の所定範囲Ｒ内に収まっていた出力機器３０は、ユーザの向きの変化に伴って所定範囲Ｒ内から外れている。
【００４３】
ウェアラブル装置２０は、ステップＳ１３として、撮像した撮像画像から、所定範囲Ｒ内に外部表示画像Ｐが含まれていないと判定すると、出力機器３０の外部表示画像Ｐをユーザが視認していない第２状態であると判定する。すなわち、ウェアラブル装置２０は、ユーザの状態が第１状態から第２状態へ遷移したと判定する。
【００４４】
ステップＳ１４では、ユーザは、ウェアラブル装置２０を装着した状態で、出力機器３０を視認できない方向を向いて移動している。
【００４５】
ウェアラブル装置２０は、ステップＳ１４として、第１状態から第２状態に遷移したことを契機に、外部表示画像Ｐに対応する画像データを外部から受信するように通信部６を制御する。外部表示画像Ｐに対応する画像データは、例えば、外部表示画像Ｐと同一の画像データ、外部表示画像Ｐに関連する画像データを含む。ウェアラブル装置２０は、通信部６を介して受信した画像データに基づいた表示画像５１を表示部２ａ及び２ｂに表示させる表示動作を実行する。
【００４６】
ステップＳ１４に示す例では、ウェアラブル装置２０は、受信した放送電波に基づく表示画像５１を、所定領域Ｒの右上寄りの一部に表示させている。ウェアラブル装置２０は、予め設定されているチャンネルの放送電波を受信する場合、チャンネルを選択させる画面を表示画像５１とともに表示部２ａ及び２ｂに表示させてもよい。
【００４７】
このように、ウェアラブル装置２０は、ユーザが外部表示画像Ｐを視認している第１状態から第２状態へ遷移したことを契機に、外部表示画像Ｐに基づく表示画像を表示部２ａ及び２ｂに表示することができる。これにより、ウェアラブル装置２０は、ユーザが出力機器３０の外部表示画像Ｐが視認できなくなったことを契機に、当該外部表示画像Ｐに基づく表示画像５１を表示部２ａ及び２ｂで視認させることができる。その結果、ユーザは、出力機器３０の外部表示画像を視認できない状態に変化した場合に、ウェアラブル装置２０によって外部表示画像を継続して視認することができる。
【００４８】
図４を参照しながら、ウェアラブル装置２０による制御の処理手順について説明する。図４は、ウェアラブル装置２０による制御に係る処理手順を示すフローチャートである。図４に示す処理手順は、制御部１０が制御プログラム９ａを実行することによって実現される。図４に示す処理手順は、ウェアラブル装置２０が頭部に装着されている場合、ウェアラブル装置２０が動作している場合等に実行される。図４に示す処理手順は、撮像部７が起動された状態で実行されることを前提とするが、撮像する場合に撮像部７を起動させてもよい。
【００４９】
図４に示すように、ウェアラブル装置２０の制御部１０は、ステップＳ１０１として、撮像部７で撮像した撮像画像に基づいて、所定範囲Ｒ内に外部表示画像Ｐがあるか否かを判定する。例えば、制御部１０は、撮像データ９ｃが示す所定時間における撮像画像を解析し、撮像画像が出力機器３０を含んでいる場合に、当該出力機器３０が外部表示画像Ｐを表示しているかを判定する。制御部１０は、出力機器３０が外部表示画像Ｐを表示している場合に、所定範囲Ｒ内に外部表示画像Ｐがあると判定する。所定範囲Ｒ内に外部表示画像Ｐがないと判定した場合（ステップＳ１０２，Ｎｏ）、制御部１０は、処理を既に説明したステップＳ１０１に戻す。
【００５０】
所定範囲Ｒ内に外部表示画像Ｐがあると判定した場合（ステップＳ１０２，Ｙｅｓ）、制御部１０は、処理をステップＳ１０３に進める。制御部１０は、ステップＳ１０３として、外部表示画像Ｐをユーザが視認している第１状態であると判定したことを記憶部９に記憶する。
【００５１】
制御部１０は、ステップＳ１０４として、撮像部７で撮像した撮像画像に基づいて、所定範囲Ｒ内から外部表示画像Ｐが外れたか否かを判定する。例えば、制御部１０は、第１状態において、撮像データ９ｃが示す所定時間における撮像画像を解析し、撮像画像が出力機器３０の外部表示画像Ｐを含んでいない場合に、所定範囲Ｒ内から外部表示画像Ｐが外れたと判定する。所定範囲Ｒ内から外部表示画像Ｐが外れていないと判定した場合（ステップＳ１０５，Ｎｏ）、制御部１０は、処理を既に説明したステップＳ１０４に戻す。
【００５２】
所定範囲Ｒ内から外部表示画像Ｐが外れたと判定した場合（ステップＳ１０５，Ｙｅｓ）、制御部１０は、処理をステップＳ１０６に進める。制御部１０は、ステップＳ１０６として、外部表示画像Ｐをユーザが視認していない第２状態であると判定したことを記憶部９に記憶する。
【００５３】
制御部１０は、ステップＳ１０７として、通信部６で画像データを受信させる。制御部１０は、ステップＳ１０８として、受信した画像データに基づいた表示画像を表示部２ａ及び２ｂに表示させる。その後、制御部１０は、所定の終了タイミングを検出した場合に、図４に示す処理手順を終了させる。
【００５４】
上記のように、ウェアラブル装置２０において、相対変化検出部２１は、ユーザの前方を撮像する撮像部７を備え、状態判定部１０ａは、撮像部７が撮像する撮像画像から、所定範囲Ｒ内に外部表示画像Ｐが含まれるか否かを判定し、所定範囲Ｒ内に外部表示画像Ｐが含まれる状態から、所定範囲Ｒ内に外部表示画像Ｐが含まれない状態に遷移すると、外部表示画像Ｐをユーザが視認している第１状態から当該外部表示画像Ｐをユーザが視認していない第２状態に遷移したと判定する。しかしながら、撮像部７が撮像する撮像画像に基づき第１状態から第２状態への遷移を判定するための条件は、上記のものに限定されない。例えば、状態判定部１０ａは、撮像部７が撮像する撮像画像から、所定範囲Ｒ内に外部表示画像Ｐが含まれるか否かを判定し、第１状態である場合において、所定範囲Ｒ内に外部表示画像Ｐが含まれる状態から、所定範囲Ｒ内に外部表示画像Ｐが含まれない状態に遷移し、当該遷移後の状態が所定時間継続した場合に、第１状態から第２状態に遷移したと判定してもよい。このような構成とすることで、所定範囲Ｒから外部表示画像Ｐが一時的に外れたのみである場合、即ち、外部表示画像Ｐをユーザが視認できない状態には該当しない場合には、これに基づいてウェアラブル装置２０が表示動作を実行することがなくなるので、ユーザが煩わしい思いをしないで済む。
【００５５】
また、上記の実施形態では、状態判定部１０ａは、撮像部７が撮像した撮像画像から、所定範囲Ｒ内に外部表示画像Ｐが含まれるか否かを判定し、当該所定範囲Ｒ内に外部表示画像Ｐが含まれる場合に第１状態であると判定するものとして説明した。この場合、撮像部７に撮像を開始させる時機としては、例えば、集音部８によって所定の音特性を有する音声を検出した時点、または、検出部１６によってユーザの所定の動作を検出した時点としてもよい。当該構成とすることにより、常時撮像部７を起動させる必要が無いので、省電力化に貢献することができる。なお、ウェアラブル装置２０は、集音部８によって集音された音声の特徴抽出を行い、特徴抽出の結果、集音した音声が出力機器３０（テレビ）特有の音声に該当すると判定した場合に、所定の音特性を有する音声を検出したものとみなしてよい。テレビ特有の音声としては、例えば、テレビ特有の効果音を含む音声、テレビ特有の音声の間の空け方等の特徴を有する。また、ウェアラブル装置２０は、検出部１６が加速度センサである場合には、ユーザの移動する動作（例えば徒歩）を行っている状態から停止する一連の動作、ユーザが立ち上がっている状態から座り込む動作等を、所定の動作として検出してもよい。
【００５６】
また、ウェアラブル装置２０は、検出部１６がユーザの手へ赤外線を照射する機能と、手から反射される赤外線を検出し、当該検出した結果に基づいて手の動作を推定する機能と、を有する場合には、例えば、ユーザが前方を指差す動作等を所定の動作として検出してもよい。
【００５７】
また、上記の実施形態では、出力機器３０がテレビである場合について説明したが、出力機器３０は、例えば、監視カメラが撮像する画像を表示する表示装置であってもよく、この場合、一時的に表示装置から離れたとしても、監視カメラが撮像する画像を、ウェアラブル装置２０において監視し続けることができる。
【００５８】
上記の実施形態では、ウェアラブル装置２０の制御部１０は、撮像部７のフレームレートを変更させてもよい。例えば、制御部１０は、第１状態と判定すると、当該第１状態になる前の時点のフレームレートよりも小さいフレームレートで、撮像部７を制御してもよい。これにより、制御部１０は、第１状態から第２状態への遷移を速やかに判定することができる。
【００５９】
上記の実施形態では、ウェアラブル装置２０は、第１状態である場合において、所定範囲Ｒ内から外部表示画像Ｐが外れたときに、第２状態であると判定する場合について説明したが、これに限定されない。以下に、実施形態の変形例について説明する。
【００６０】
（変形例）
上記のウェアラブル装置２０は、第１状態から第２状態への遷移を判定する場合に、ユーザが移動中であるかを判定してもよい。例えば、ウェアラブル装置２０は、第１状態である場合において、所定範囲Ｒ内から外部表示画像Ｐが外れた場合に、ユーザが移動中であるか否かを判定してもよい。ウェアラブル装置２０は、所定範囲Ｒ内から外部表示画像Ｐが外れ、かつユーザが移動中であると判定した場合に、第２状態へ遷移したと判定してもよい。このように、ウェアラブル装置２０は、ユーザが移動中であることを判定することで、ユーザが一時的に出力機器３０から視線を外したことと、ユーザが移動したことを区別することができる。その結果、ウェアラブル装置２０は、ユーザが移動したタイミングで、受信した画像データに基づいた表示画像を表示部２ａ及び２ｂに表示させることができる。
【００６１】
図５を参照しながら、ウェアラブル装置２０による制御の変形例について説明する。図５は、ウェアラブル装置２０による制御に係る変形例の処理手順を示すフローチャートである。図５に示す処理手順は、制御部１０が制御プログラム９ａを実行することによって実現される。図５に示す処理手順は、ウェアラブル装置２０が頭部に装着されている場合、ウェアラブル装置２０が動作している場合等に実行される。図５に示す処理手順は、撮像部７が起動された状態で実行されることを前提とするが、撮像する場合に撮像部７を起動させてもよい。
【００６２】
図５に示す例では、ステップＳ１０１からステップＳ１０８の処理は、図４に示すステップＳ１０１からステップＳ１０８の処理と同一であるため、異なる部分のみを説明し、同一部分の説明は省略する。
【００６３】
図５に示すように、ウェアラブル装置２０の制御部１０は、所定範囲Ｒ内から外部表示画像Ｐが外れたと判定した場合（ステップＳ１０５，Ｙｅｓ）、処理をステップＳ１１１に進める。制御部１０は、ステップＳ１１１として、検出部１６の検出結果に基づいて、ユーザが移動中であるか否かを判定する。
【００６４】
例えば、制御部１０は、撮像データ９ｃが示す撮像画像から、所定範囲Ｒにおける画像の変化を検出した場合に、ユーザが移動中であると判定してもよい。具体的には、制御部１０は、相異なる撮像画像（フレーム）を比較し、比較結果がユーザの移動に対応した判定条件を満たす場合に、ユーザが移動中であると判定できる。判定条件は、例えば、ユーザの移動に対応した物体の位置、大きさ等の変化量を示す条件を含む。
【００６５】
例えば、制御部１０は、検出部１６の加速度センサの検出結果と予め定められたユーザの移動中の加速度パターンとが一致している場合に、ユーザが移動中であると判定する。なお、パターンの一致とは、完全に一致している場合、所定の割合で一致している場合を含む。
【００６６】
ユーザが移動中ではないと判定した場合（ステップＳ１１２，Ｎｏ）、制御部１０は、処理を既に説明したステップＳ１０４に戻す。ユーザが移動中であると判定した場合（ステップＳ１１２，Ｙｅｓ）、制御部１０は、処理を既に説明したステップＳ１０６に進める。制御部１０は、ステップＳ１０６からステップＳ１０８の処理を実行すると、図５に示す処理手順を終了させる。
【００６７】
図５に示す処理手順では、制御部１０は、所定範囲Ｒ内から外部表示画像Ｐが外れた場合に、ユーザが移動中であるかを判定する場合について説明したが、これに限定されない。例えば、制御部１０は、最初にユーザが移動中であるかを判定し、その後、所定範囲Ｒ内から外部表示画像Ｐが外れたかを判定してもよい。
【００６８】
図５に示す処理手順では、制御部１０は、所定範囲Ｒ内から外部表示画像Ｐが外れた場合に、ユーザが移動中であるかを判定する場合について説明したが、これに限定されない。例えば、制御部１０は、所定範囲Ｒ内から外部表示画像Ｐが外れたか否かの判定を行わずに、ユーザが移動中であるか否かのみを判定してもよい。この場合、制御部１０は、ユーザが移動中であると判定した場合に、第１状態から第２状態へ遷移したと判定してもよい。
【００６９】
（変形例）
上記のウェアラブル装置２０は、第１状態である場合において、ユーザの所定動作を検出部１６が検出した場合に、撮像部７による撮像を開始し、撮像した撮像画像から所定範囲Ｒ内から外部表示画像Ｐが外れたか否かを判定してもよい。ユーザの所定動作は、例えば、検出部１６が加速度センサである場合には、ユーザの移動する動作（例えば徒歩）、所定速度以上で移動する動作、ユーザが立ち上がる動作等を含む。また、検出部１６がユーザの手へ赤外線を照射する機能と、手から反射される赤外線を検出し、当該検出した結果に基づいて手の動作の有無を判定する機能と、を有する場合には、ユーザの所定動作は、手の動作を含んでよい。
【００７０】
例えば、ウェアラブル装置２０は、第１状態である場合において、検出部１６の検出結果に基づいて、ユーザの所定動作を検出すると、撮像部７による撮像を開始する。ウェアラブル装置２０は、撮像した撮像画像から、所定範囲Ｒ内から外部表示画像Ｐが外れたと判定した場合に、第１状態から第２状態へ遷移したと判定してもよい。
【００７１】
このように、ウェアラブル装置２０は、第１状態である場合において、ユーザの所定動作を検出した場合に、第２状態への遷移を判定することができる。その結果、ウェアラブル装置２０は、第２状態への遷移を判定するために、撮像部７を常に動作させる必要がなくなり、撮像部７による消費電力を低減させることができる。
【００７２】
図６を参照しながら、ウェアラブル装置２０による制御の変形例について説明する。図６は、ウェアラブル装置２０による制御に係る変形例の処理手順を示すフローチャートである。図６に示す処理手順は、制御部１０が制御プログラム９ａを実行することによって実現される。図６に示す処理手順は、ウェアラブル装置２０が頭部に装着されている場合、ウェアラブル装置２０が動作している場合等に実行される。図６に示す処理手順は、撮像部７が起動された状態で実行されることを前提とするが、撮像する場合に撮像部７を起動させてもよい。
【００７３】
図６に示す例では、ステップＳ１０１からステップＳ１０８の処理は、図４に示すステップＳ１０１からステップＳ１０８の処理と同一であるため、異なる部分のみを説明し、同一部分の説明は省略する。
【００７４】
図６に示すように、ウェアラブル装置２０の制御部１０は、既に説明したステップＳ１０３の処理が終了すると、ステップＳ１２１として、ユーザの所定動作を検出したか否かを判定する。例えば、制御部１０は、検出部１６の加速度センサの検出結果と予め定められた所定動作の加速度パターンとが一致している場合に、ユーザの所定動作を検出したと判定する。制御部１０は、所定動作を検出していないと判定した場合（ステップＳ１２２，Ｎｏ）、処理を既に説明したステップＳ１２１に戻す。制御部１０は、所定動作を検出したと判定した場合（ステップＳ１２２，Ｙｅｓ）、処理を既に説明したステップＳ１０４に進める。制御部１０は、既に説明したステップＳ１０４からステップＳ１０８の処理を実行すると、図６に示す処理手順を終了させる。
【００７５】
（変形例）
上記のウェアラブル装置２０は、第１状態である場合において、集音した音声の所定の音特性を検出し、当該音特性における所定の変化を検出した場合に、第１状態から第２状態に遷移したと判定してもよい。所定の音特性は、例えば、出力機器３０が出力する音量、音の出力パターンを含む。音特性における所定の変化は、例えば、自機と出力機器３０との距離の変化に対応した音量の変化、ユーザの向き及び移動の変化に対応した音質の変化等を含む。
【００７６】
このように、ウェアラブル装置２０は、第１状態である場合において、検出した音特性の変化を検出した場合に、第２状態への遷移を判定することができる。その結果、ウェアラブル装置２０は、第２状態への遷移を判定するために撮像画像を解析する必要がなくなり、制御部１０の処理負担を低減させることができる。
【００７７】
図７を参照しながら、ウェアラブル装置２０による制御の変形例について説明する。図７は、ウェアラブル装置２０による制御に係る変形例の処理手順を示すフローチャートである。図７に示す処理手順は、制御部１０が制御プログラム９ａを実行することによって実現される。図７に示す処理手順は、ウェアラブル装置２０が頭部に装着されている場合、ウェアラブル装置２０が動作している場合等に実行される。図７に示す処理手順は、撮像部７が起動された状態で実行されることを前提とするが、撮像する場合に撮像部７を起動させてもよい。
【００７８】
図７に示す例では、ステップＳ１０１からステップＳ１０３及びステップＳ１０６からステップＳ１０８の処理は、図４に示すステップＳ１０１からステップＳ１０３及びステップＳ１０６からステップＳ１０８の処理と同一であるため、異なる部分のみを説明し、同一部分の説明は省略する。
【００７９】
図７に示すように、ウェアラブル装置２０の制御部１０は、既に説明したステップＳ１０３の処理が終了すると、ステップＳ１３１として、集音部８が集音した音データ９ｄから所定の音特性を検出する。制御部１０は、ステップＳ１３２として、検出した音特性における所定の変化を検出したか否かを判定する。例えば、制御部１０は、所定の音特性として音量を検出している場合、音量が所定の閾値よりも小さい場合に、所定の変化を検出したと判定する。制御部１０は、所定の変化を検出していないと判定した場合（ステップＳ１３３，Ｎｏ）、処理を既に説明したステップＳ１３１に戻す。制御部１０は、所定の変化を検出したと判定した場合（ステップＳ１３３，Ｙｅｓ）、処理を既に説明したステップＳ１０６に進める。制御部１０は、既に説明したステップＳ１０６からステップＳ１０８の処理を実行すると、図７に示す処理手順を終了させる。
【００８０】
図７に示す処理手順では、制御部１０は、第１状態である場合において、音特性の変化に基づいて第２状態への遷移を判定する場合について説明したが、これに限定されない。例えば、制御部１０は、第１状態である場合において、音特定における所定の変化を検出し、かつ、所定範囲Ｒ内から外部表示画像Ｐが外れた場合に、第２状態であると判定してもよい。
【００８１】
（変形例）
上記のウェアラブル装置２０は、受信した画像データに基づいた表示画像５１の表示サイズをユーザの状態に応じて変化させてもよい。図８は、表示画像の大きさの例を示す図である。図８に示すように、制御部１０は、第２状態において、ユーザが移動中である場合には、第１の大きさの表示画像５１ａを表示部２ａ及び２ｂに表示させてもよい。制御部１０は、第２状態において、ユーザが移動中でない場合には、第２の大きさの表示画像５１ｂを表示部２ａ及び２ｂに表示させてもよい。第２の大きさは、第１の大きさよりも大きい。第２の大きさは、例えば、所定範囲Ｒと同じ大きさとしてもよい。
【００８２】
このように、ウェアラブル装置２０は、第２状態である場合において、ユーザが移動中であるか否かに応じて、表示画像５１の表示サイズを変更することができる。その結果、ウェアラブル装置２０は、ユーザの移動状態に応じて表示画像の表示サイズを変更することができるため、利便性を向上させることができる。
【００８３】
図９を参照しながら、ウェアラブル装置２０による制御の変形例について説明する。図９は、ウェアラブル装置２０による制御に係る変形例の処理手順を示すフローチャートである。図９に示す処理手順は、制御部１０が制御プログラム９ａを実行することによって実現される。図９に示す処理手順は、ウェアラブル装置２０が頭部に装着されている場合、ウェアラブル装置２０が動作している場合等に実行される。図９に示す処理手順は、撮像部７が起動された状態で実行されることを前提とするが、撮像する場合に撮像部７を起動させてもよい。
【００８４】
図９に示す例では、ステップＳ１０１からステップＳ１０７の処理は、図４に示すステップＳ１０１からステップＳ１０７の処理と同一であるため、異なる部分のみを説明し、同一部分の説明は省略する。
【００８５】
図９に示すように、ウェアラブル装置２０の制御部１０は、既に説明したステップＳ１０７の処理が終了すると、ステップＳ１４１として、ユーザが移動中であるか否かを判定する。
【００８６】
例えば、制御部１０は、撮像部７が撮像した撮像画像から、所定範囲Ｒにおける画像の変化を検出した場合に、ユーザが移動中であると判定してもよい。具体的には、制御部１０は、相異なる撮像画像（フレーム）を比較し、比較結果がユーザの移動に対応した判定条件を満たす場合に、ユーザが移動中であると判定できる。
【００８７】
例えば、制御部１０は、加速度センサの検出結果と予め定められた移動中の加速度パターンとが一致している場合に、ユーザが移動中であると判定する。なお、パターンの一致とは、完全に一致している場合、所定の割合で一致している場合を含む。
【００８８】
ユーザが移動中であると判定した場合（ステップＳ１４２，Ｙｅｓ）、制御部１０は、処理をステップＳ１４３に進める。制御部１０は、ステップＳ１４３として、受信した画像データに基づいた表示画像５１ａを第１の大きさで表示部２ａ及び２ｂに表示させる。その後、制御部１０は、所定の終了タイミングを検出した場合に、図９に示す処理手順を終了させる。
【００８９】
ユーザが移動中ではないと判定した場合（ステップＳ１４２，Ｎｏ）、制御部１０は、処理をステップＳ１４４に進める。制御部１０は、ステップＳ１４４として、受信した画像データに基づいた表示画像５１ｂを第２の大きさで表示部２ａ及び２ｂに表示させる。その後、制御部１０は、所定の終了タイミングを検出した場合に、図９に示す処理手順を終了させる。
【００９０】
（実施形態２）
図１０を参照しながら、上記のウェアラブル装置２０を備える出力システム１について説明する。図１０は、出力システム１の全体的な構成を示す図である。出力システム１は、ウェアラブル装置２０と、出力機器３０とを備える。出力機器３０は、例えば、テレビである。出力機器３０は、表示画像を表示する。出力機器３０は、表示画像に対応した音声を出力する。ウェアラブル装置２０と出力機器３０とは、近距離無線通信を介して、データ通信を行うことができるように構成されている。
【００９１】
図１０に示す例では、出力機器３０は、テレビである場合について説明するが、これに限定されない。出力機器３０は、例えば、パーソナルコンピュータ、表示機能を有するオーディオ機器等の他の電子機器としてもよい。
【００９２】
実施形態２に係るウェアラブル装置２０は、制御プログラム９ａの機能が異なる点を除いて、図１から２に示したウェアラブル装置２０と同様の構成を有する。以下では、ウェアラブル装置２０を例として用いて、実施形態２について説明する。
【００９３】
図１１を参照しながら、出力機器３０の構成について説明する。図１１は、出力機器３０のブロック図である。図１１に示すように、出力機器３０は、表示部３２と、操作部３３と、チューナー部３４と、通信部３６と、撮像部３７と、集音部３８と、記憶部３９と、制御部４０と、出力部４１とを備える。
【００９４】
表示部３２は、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。表示部３２は、制御部４０から入力される制御信号に従って各種の情報を表示できる。
【００９５】
操作部３３は、ユーザの操作を受け付けることができる。操作部３３は、操作を受け付けるために、ボタン、キー、リモートコントローラ等の入力デバイスを用いることができる。
【００９６】
チューナー部３４は、放送電波を受信する。チューナー部３４が受信する電波は、テレビの電波であってもよいし、ラジオの電波であってもよい。放送に用いられる電波の周波数帯は、複数の物理チャンネルに分割されている。放送業者は、割り当てられた物理チャンネルを用いて放送区域内に放送電波を送信する。チューナー部３４は、受信した電波を信号へ変換して制御部４０へ入力する。出力機器３０は、上記のウェアラブル装置２０と同様に、通信部３６をチューナー部３４として機能させてもよい。
【００９７】
通信部３６は、無線により通信できる。通信部３６は、近距離無線通信方式をサポートできる。近距離無線通信方式には、Ｂｌｕｅｔｏｏｔｈ（登録商標）、無線ＬＡＮ（ＩＥＥＥ８０２．１１）、ＺｉｇＢｅｅ（登録商標）、赤外線通信、可視光通信、ＮＦＣ（Ｎｅａｒ  Ｆｉｅｌｄ  Ｃｏｍｍｕｎｉｃａｔｉｏｎ）等を含む。通信部３６は、複数の通信方式をサポートしてもよい。通信部３６は、例えば、２Ｇ、３Ｇ、４Ｇ等のセルラーフォンの通信規格をサポートしてもよい。
【００９８】
撮像部３７は、出力機器３０の前方における撮像範囲を撮像できる。撮像範囲は、ユーザが出力機器３０を視聴する位置を含む。撮像部３７は、ＣＣＤ（Ｃｈａｒｇｅ  Ｃｏｕｐｌｅｄ  Ｄｅｖｉｃｅ  Ｉｍａｇｅ  Ｓｅｎｓｏｒ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサを用いて電子的に画像を撮像できる。撮像部３７は、撮像した画像を信号に変換して制御部４０へ出力できる。
【００９９】
集音部３８は、出力機器３０の周囲の音を集音できる。集音部３８は、例えば、マイクを含む。集音部３８は、集音結果を音信号へ変換して制御部４０へ入力できる。出力部４１は、例えば、制御部４０から入力される音信号を音として出力できる。出力部４１は、例えば、スピーカ、イヤホンジャックを含む。
【０１００】
実施形態２では、出力システム１は、出力機器３０が撮像部３７及び集音部３８を備える場合について説明するが、これに限定されない。例えば、出力機器３０は、撮像部３７及び集音部３８の少なくとも一方を備えなくてもよい。
【０１０１】
記憶部３９は、プログラム及びデータを記憶できる。記憶部３９は、制御部４０の処理結果を一時的に記憶する作業領域としても利用される。記憶部３９は、半導体記憶媒体、及び磁気記憶媒体等の任意の非一過的（ｎｏｎ−ｔｒａｎｓｉｔｏｒｙ）な記憶媒体を含んでよい。記憶部３９は、複数の種類の記憶媒体を含んでよい。記憶部３９は、メモリカード、光ディスク、又は光磁気ディスク等の可搬の記憶媒体と、記憶媒体の読み取り装置との組み合わせを含んでよい。記憶部３９は、ＲＡＭ（Ｒａｎｄｏｍ  Ａｃｃｅｓｓ  Ｍｅｍｏｒｙ）等の一時的な記憶領域として利用される記憶デバイスを含んでよい。
【０１０２】
記憶部３９は、例えば、制御プログラム９１、設定データ９２、撮像データ９３及び音データ９４を記憶できる。制御プログラム９１は、出力機器３０を稼動させるための各種制御に関する機能を提供できる。制御プログラム９１は、チューナー部３４によって受信された放送電波を再生する機能を提供できる。放送電波がテレビの電波の場合、画像及び音が再生される。放送電波がラジオの電波の場合、音が再生される。制御プログラム９１は、視聴可能なチャンネルを設定する機能と、設定したチャンネルの中から再生するチャンネルを利用者に選択させる機能とを提供できる。
【０１０３】
制御プログラム９１は、例えば、通信部３６を制御することによって、外部の通信装置との通信を実現させる。制御プログラム９１が提供する機能は、表示部３２を制御することによって、画像データの表示を実現させる。画像データは、例えば、静止画、動画等のデータを含む。制御プログラム９１が提供する機能は、通信部３６を制御することによって、画像データを外部の電子機器に配信する機能を含んでもよい。制御プログラム９１が提供する機能は、ユーザが第１状態であるか、第２状態であるかを判定する機能を含んでもよい。記憶部３９は、受信した画像データを記憶できる。
【０１０４】
設定データ９２は、出力機器３０の動作に関する各種の設定に関する情報を含む。設定データ９２は、ユーザが外部表示画像を視認している第１状態であるか否かを判定するための条件データを含んでもよい。条件データは、例えば、撮像画像から判定するための条件を示すデータを含む。条件データは、例えば、ユーザの状態を判定するための条件を示すデータを含む。
【０１０５】
撮像データ９３は、撮像部３７によって撮像範囲を撮像した撮像画像を示すデータである。撮像データ９３は、例えば、静止画データと動画データとが含まれる。撮像データ９３には、撮像部３７の撮像結果として送信されてくる撮像画像を時系列的に記憶できる。
【０１０６】
音データ９４は、集音部３８によって集音された音を示すデータである。音データ９４は、例えば、音量、音の波形、周波数等を示すデータを含む。音データ９４には、集音部３８の集音結果として送信されてくる音データを時系列的に記憶できる。
【０１０７】
制御部４０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、及びコプロセッサを含むが、これらに限定されない。制御部４０は、出力機器３０の動作を統括的に制御できる。制御部４０の各種機能は、制御部４０の制御に基づいて実現される。
【０１０８】
具体的には、制御部４０は、記憶部３９に記憶されているプログラムに含まれる命令を実行できる。制御部４０は、記憶部３９に記憶されているデータを必要に応じて参照できる。制御部４０は、データ及び命令に応じて機能部を制御する。制御部４０は、機能部を制御することによって、各種機能を実現する。機能部は、例えば、表示部３２、通信部３６、集音部３８、及び出力部４１を含むが、これらに限定されない。
【０１０９】
図１２を参照しながら、ユーザが出力機器３０を利用している時におけるウェアラブル装置２０及び出力機器３０の動作について説明する。図１２は、出力機器３０の利用時における出力システム１の動作を示すシーケンス図である。図１２に示すウェアラブル装置２０の動作は、ウェアラブル装置２０の制御部１０が制御プログラム９ａを実行することによって実現される。図１２に示す出力機器３０の動作は、出力機器３０の制御部４０が制御プログラム９１を実行することによって実現される。
【０１１０】
図１２に示すように、出力機器３０の制御部４０は、ステップＳ２０１として、出力処理を開始する。出力処理は、表示部３２に表示画像を表示させたり、出力部４１から音を出力させたりする処理を含む。例えば、出力がテレビの表示である場合、制御部４０は、チューナー部３４によって受信された放送電波に基づく表示画像を表示部３２に表示する処理を実行する。その結果、出力機器３０は、表示部３２に表示画像（外部表示画像Ｐ）を表示し、出力部４１から音を出力する。
【０１１１】
例えば、ユーザは、ウェアラブル装置２０を頭部に装着した状態で、出力機器３０を視聴していることを前提とする。
【０１１２】
ウェアラブル装置２０の制御部１０は、ステップＳ２０２として、撮像部７で撮像した撮像画像に基づいて、所定範囲Ｒ内に外部表示画像Ｐがあるか否かを判定する。例えば、当該制御部１０は、撮像データ９ｃが示す所定時間における撮像画像を解析し、撮像画像が出力機器３０を含む場合に、当該出力機器３０が外部表示画像Ｐを表示しているかを判定する。当該制御部１０は、出力機器３０が外部表示画像Ｐを表示している場合に、所定範囲Ｒ内に外部表示画像Ｐがあると判定する。
【０１１３】
ウェアラブル装置２０の制御部１０は、所定範囲Ｒ内に外部表示画像Ｐがない場合（ステップＳ２０３，Ｎｏ）、処理を既に説明したステップＳ２０２に戻す。
【０１１４】
ウェアラブル装置２０の制御部１０は、所定範囲Ｒ内に外部表示画像Ｐがあると判定した場合（ステップＳ２０３，Ｙｅｓ）、処理をステップＳ２０４に進める。ウェアラブル装置２０の制御部１０は、ステップＳ２０４として、外部表示画像Ｐをユーザが視認している第１状態であると判定したことを記憶部９に記憶する。
【０１１５】
ウェアラブル装置２０の制御部１０は、ステップＳ２０５として、接続処理を実行する。本実施形態では、接続処理は、出力機器３０の制御部４０と連動する処理である。具体的には、ウェアラブル装置２０の制御部１０は、通信部６による近距離無線通信を介して、予め定められた出力機器３０とコネクションの確立を行う。コネクションの確立は、ユーザにコネクションを確立する出力機器３０を選択させてもよい。本実施形態では、ウェアラブル装置２０の制御部１０は、出力機器３０の操作に関する制御情報の送信を出力機器３０に要求し、出力機器３０から受信した制御情報を記憶部９に記憶する。なお、接続処理は、第１状態と判定する前に実行してもよい。
【０１１６】
ウェアラブル装置２０の制御部１０は、第１状態である場合において、操作部３を介して、制御情報に対応した操作を受け付けていない場合（ステップＳ２０６，Ｎｏ）、処理を後述するステップＳ２０９に進める。
【０１１７】
ウェアラブル装置２０の制御部１０は、第１状態である場合において、操作部３を介して、制御情報に対応した操作を受け付けた場合（ステップＳ２０６，Ｙｅｓ）、処理をステップＳ２０７に進める。ウェアラブル装置２０の制御部１０は、ステップＳ２０７として、通信部６を介して、操作に対応した制御データを出力機器３０に送信する。その結果、ウェアラブル装置２０は、制御データを示す赤外線信号を出力機器３０に送信する。ウェアラブル装置２０の制御部１０は、その後、処理をステップＳ２０９に進める。
【０１１８】
なお、ウェアラブル装置２０の制御部１０は、通信部６を介して、制御データを示す赤外線信号を出力機器３０に送信するのではなく、例えば、検出部１６が赤外線を検出可能である場合に、該検出部１６に赤外線を照射する機能を付加し、制御データを示す赤外線信号を検出部１６の赤外線照射の機能によって出力機器３０に送信するようにしてもよい。検出部１６は、赤外線を照射する機能と、ユーザの前方に存在する物体へ照射され、該物体から反射した赤外線を検出する機能と、を備えることにより、例えば、ユーザの前方に存在する物体として、ユーザの手の動作および動作の種類を検出結果から推定することが可能となる。
【０１１９】
出力機器３０の制御部４０は、ウェアラブル装置２０から制御データを受信すると、ステップＳ２０８として、受信した制御データに対応した処理を実行する。本実施形態では、制御データに対応した処理は、例えば、チューナー部３４のチャンネルを変更する処理、出力部４１から出力する音量を変更する処理等を含む。
【０１２０】
ウェアラブル装置２０の制御部１０は、ステップＳ２０９として、撮像部７で撮像した撮像画像に基づいて、所定範囲Ｒ内から外部表示画像Ｐが外れたか否かを判定する。例えば、当該制御部１０は、第１状態において、撮像データ９ｃが示す所定時間における撮像画像を解析し、撮像画像が出力機器３０の外部表示画像Ｐを含んでいない場合に、所定範囲Ｒ内から外部表示画像Ｐが外れたと判定する。
【０１２１】
ウェアラブル装置２０の制御部１０は、所定範囲Ｒ内から外部表示画像Ｐが外れていないと判定した場合（ステップＳ２１０，Ｎｏ）、処理を既に説明したステップＳ２０６に戻す。
【０１２２】
ウェアラブル装置２０の制御部１０は、所定範囲Ｒ内から外部表示画像Ｐが外れたと判定した場合（ステップＳ２１０，Ｙｅｓ）、処理をステップＳ２１１に進める。ウェアラブル装置２０の制御部１０は、ステップＳ２１１として、外部表示画像Ｐをユーザが視認していない第２状態であると判定したことを記憶部９に記憶する。
【０１２３】
ウェアラブル装置２０の制御部１０は、ステップＳ２１２として、通信部６を介して、画像データの送信を出力機器３０に要求する。
【０１２４】
出力機器３０の制御部４０は、ウェアラブル装置２０から画像データの送信要求を受信すると、ステップＳ２１３として、チューナー部３４から画像データを取得する。出力機器３０の制御部４０は、ステップＳ２１４として、通信部３６を介して、画像データをウェアラブル装置２０に送信する。
【０１２５】
以降、出力機器３０の制御部４０は、ステップＳ２１３からステップＳ２１４の処理を繰り返すことで、チューナー部３４から画像データを取得するごとに、当該画像データをウェアラブル装置２０に送信する。例えば、当該制御部４０は、出力機器３０の出力操作を検出した場合に、画像データの送信を終了してもよい。例えば、当該制御部４０は、ウェアラブル装置２０から送信の停止要求を受けた場合等に、画像データの送信を終了してもよい。
【０１２６】
ウェアラブル装置２０の制御部１０は、出力機器３０から画像データを受信すると、ステップＳ２１５として、受信した画像データに基づいた表示画像を表示部２ａ及び２ｂに表示させる。
【０１２７】
以降、ウェアラブル装置２０の制御部１０は、出力機器３０から画像データを受信するごとに、ステップＳ２１５を実行して、受信した画像データに基づいた表示画像を表示部２ａ及び２ｂに表示させる。例えば、当該制御部１０は、操作部３を介して終了操作を検出すると、画像データの送信終了を出力機器３０に要求し、表示画像の表示を終了してもよい。
【０１２８】
このように、ウェアラブル装置２０は、ユーザが外部表示画像Ｐを視認している第１状態から第２状態へ遷移したことを契機に、出力機器３０から取得した外部表示画像Ｐに基づく表示画像を表示部２ａ及び２ｂに表示することができる。これにより、ウェアラブル装置２０は、ユーザが所定領域Ｒから出力機器３０の外部表示画像Ｐが視認できなくなったことを契機に、当該外部表示画像Ｐに基づく表示画像を表示部２ａ及び２ｂで視認させることができる。その結果、ユーザは、出力機器３０の外部表示画像Ｐを視認している状態から移動しても、ウェアラブル装置２０によって外部表示画像Ｐを継続して視認することができる。ウェアラブル装置２０は、出力機器３０から受信した画像データを表示するので、チューナー機能を備える必要がなくなる。
【０１２９】
上記の出力システム１は、出力機器３０が画像データを取得してウェアラブル装置２０に送信する場合について説明したが、これに限定されない。例えば、出力システム１は、出力機器３０が画像データを送信する代わりに、例えば、選局中のチャンネル、画像データの取得先等をウェアラブル装置２０に通知し、ウェアラブル装置２０が当該通知に基づいて画像データを取得してもよい。
【０１３０】
上記の出力システム１において、実施形態２に係るウェアラブル装置２０は、実施形態１の複数の変形例を適用することができる。また、上記の出力システム１は、以下の変形例とすることもできる。
【０１３１】
（変形例）
上記の出力システム１は、第２状態において、ウェアラブル装置２０が検出した音特性に基づいて、出力するデータを変更させてもよい。例えば、ウェアラブル装置２０は、音特性が所定条件を満たす場合に、出力機器３０から取得した音声データを出力してもよい。所定条件は、ウェアラブル装置２０を装着したユーザが出力機器３０から離れたと判定するための条件を含む。例えば、所定条件は、ユーザが出力機器３０から離れた場合の音量の変化パターン等に基づいて定められた閾値、音量の範囲等を含む。
【０１３２】
このように、出力システム１は、第２状態である場合において、検出した音特性が所定条件を満たす場合に、出力機器３０から音声データを取得し、当該音声データを出力することができる。その結果、ウェアラブル装置２０は、例えば、ユーザが他の部屋に移動した場合、出力機器３０の出力音が聞こえなくなった場合等に、画像データ及び音声データの出力が可能となり、利便性を向上することができる。
【０１３３】
図１３を参照しながら、ユーザが出力機器３０を利用している時におけるウェアラブル装置２０及び出力機器３０の動作の変形例について説明する。図１３は、出力機器３０の利用時における出力システム１の動作の変形例を示すシーケンス図である。図１３に示すウェアラブル装置２０の動作は、ウェアラブル装置２０の制御部１０が制御プログラム９ａを実行することによって実現される。図１３に示す出力機器３０の動作は、出力機器３０の制御部４０が制御プログラム９１を実行することによって実現される。
【０１３４】
図１３に示すシーケンスは、図１２に示すステップＳ２０１からステップＳ２１１のシーケンスと同一であるため、ステップＳ２０１からステップＳ２１１を省略し、ステップＳ２１１以降の異なるシーケンスを記載している。
【０１３５】
図１３に示すように、ウェアラブル装置２０の制御部１０は、既に説明したステップＳ２１１が終了すると、ステップＳ２２１として、集音部８で集音した音データから音特性を検出し、検出結果を記憶部９に記憶する。例えば、検出した音特性は、所定時間における音量の変化パターン、音量の平均値等を含む。
【０１３６】
ウェアラブル装置２０の制御部１０は、ステップＳ２２２として、検出した音特性が所定条件を満たすか否かを判定する。例えば、音特性が音量、所定条件が所定の閾値よりも小さいことであるとする。この場合、ウェアラブル装置２０の制御部１０は、検出した音量が所定の閾値よりも小さい場合に、所定条件を満たすと判定する。
【０１３７】
ウェアラブル装置２０の制御部１０は、音特性が所定条件を満たすと判定した場合（ステップＳ２２３，Ｙｅｓ）、処理をステップＳ２２４に進める。ウェアラブル装置２０の制御部１０は、ステップＳ２２４として、通信部６を介して、画像データ及び音声データの送信を出力機器３０に要求する。
【０１３８】
出力機器３０の制御部４０は、ウェアラブル装置２０から画像データ及び音声データの送信要求を受信すると、ステップＳ２２５として、チューナー部３４から画像データ及び音声データを取得する。出力機器３０の制御部４０は、ステップＳ２２６として、通信部３６を介して、画像データ及び音声データをウェアラブル装置２０に送信する。
【０１３９】
以降、出力機器３０の制御部４０は、ステップＳ２２５からステップＳ２２６の処理を繰り返すことで、チューナー部３４から画像データ及び音声データを取得するごとに、当該データをウェアラブル装置２０に送信する。例えば、当該制御部４０は、出力機器３０の出力操作を検出した場合に、画像データの送信を終了してもよい。例えば、当該制御部４０は、ウェアラブル装置２０から送信の停止要求を受けた場合等に、画像データの送信を終了してもよい。
【０１４０】
ウェアラブル装置２０の制御部１０は、通信部６を介して、出力機器３０から画像データ及び音声データを受信すると、ステップＳ２２７として、受信した画像データに基づいた表示画像を表示部２ａ及び２ｂに表示させ、音声データを出力部１１から出力させる。
【０１４１】
以降、ウェアラブル装置２０の制御部１０は、出力機器３０から画像データ及び音声データを受信するごとに、ステップＳ２２７を実行して、受信した画像データに基づいた表示画像を表示部２ａ及び２ｂに表示させる。例えば、当該制御部１０は、操作部３を介して終了操作を検出すると、画像データの送信終了を出力機器３０に要求し、表示画像の表示を終了してもよい。
【０１４２】
ウェアラブル装置２０の制御部１０は、音特性が所定条件を満たしていないと判定した場合（ステップＳ２２３，Ｎｏ）、処理を既に説明したステップＳ２１２に進める。ステップＳ２１２からステップＳ２１５のシーケンスは、図１２に示すステップＳ２１２からステップＳ２１５と同一であるため、説明は省略する。
【０１４３】
なお、出力システム１は、本変形例に限定されず、例えば、ウェアラブル装置２０は、第２状態であると判定すると、出力機器３０から画像データ及び音声データを受信し、音特性が所定条件を満たす場合には、受信した画像データに基づいた表示画像を表示部２ａ及び表示部２ｂに表示させつつ、音声データに基づいた音声を出力部１１から出力させ、一方で、音特性が所定条件を満たさない場合には、表示画像を表示部２ａ及び表示部２ｂに表示させるのみであって、音声データに基づいた音声の出力は行わないようにしてもよい。
【０１４４】
（変形例）
上記の出力システム１は、第２状態において、出力機器３０を利用している可能性がある他のユーザが居るか否かを判定し、当該判定結果に基づいて、ウェアラブル装置２０が出力するデータを変更させてもよい。例えば、ウェアラブル装置２０は、出力機器３０が撮像した撮像画像に基づいて、他のユーザが居るかを判定してもよい。例えば、ウェアラブル装置２０は、集音部８の集音結果から他のユーザの音声を検出したか否かに基づいて、他のユーザが居るかを判定してもよい。例えば、ウェアラブル装置２０は、他の電子機器が検出したユーザの有無の判定結果に基づいて、他のユーザが居るかを判定してもよい。
【０１４５】
このように、出力システム１のウェアラブル装置２０は、第２状態である場合において、他のユーザが居る場合に、出力機器３０から音声データを取得し、当該音声データを出力することができる。その結果、ウェアラブル装置２０は、例えば、ユーザが他の部屋に移動した場合、出力機器３０が出力する音が聞き難くなる場合等に、画像データ及び音声データの出力が可能となり、利便性を向上することができる。ウェアラブル装置２０は、例えば、他のユーザが居ない場合に、出力機器３０に表示の停止を要求することで、出力機器３０の省電力化に貢献することができる。
【０１４６】
図１４を参照しながら、ユーザが出力機器３０を利用している時におけるウェアラブル装置２０及び出力機器３０の動作の変形例について説明する。図１４は、出力機器３０の利用時における出力システム１の動作の変形例を示すシーケンス図である。図１４に示すウェアラブル装置２０の動作は、ウェアラブル装置２０の制御部１０が制御プログラム９ａを実行することによって実現される。図１４に示す出力機器３０の動作は、出力機器３０の制御部４０が制御プログラム９１を実行することによって実現される。
【０１４７】
図１４に示すシーケンスは、図１２に示すステップＳ２０１からステップＳ２１１のシーケンスと同一であるため、ステップＳ２０１からステップＳ２１１を省略し、ステップＳ２１１以降の異なるシーケンスを記載している。
【０１４８】
図１４に示すように、ウェアラブル装置２０の制御部１０は、既に説明したステップＳ２１１が終了すると、ステップＳ２３１として、他のユーザが居るか否かを判定する。例えば、当該制御部１０は、集音部８の集音結果と予め定められた他のユーザの音声パターンとを比較し、他のユーザの音声パターンが集音結果に含まれる場合に、他のユーザが居ると判定する。例えば、当該制御部１０は、外部機器３０の撮像部３７が撮像した撮像画像を取得し、当該撮像画像から複数のユーザ、または複数のウェアラブル装置２０を検出できた場合に、他のユーザが居ると判定する。例えば、当該制御部１０は、他の電子機器から他のユーザの有無を示す情報を取得し、当該情報が他のユーザありを示している場合に、他のユーザが居ると判定する。例えば、当該制御部１０は、音声の特徴抽出を行うことで、テレビ特有の音声に基づき、テレビ音声とユーザの音声とを判別してもよい。テレビ特有の音声としては、例えば、テレビ特有の効果音を含む音声、テレビ特有の音声の間の空け方等の特徴を有する。
【０１４９】
ウェアラブル装置２０の制御部１０は、他のユーザが居ると判定した場合（ステップＳ２３２，Ｙｅｓ）、処理をステップＳ２３３に進める。ウェアラブル装置２０の制御部１０は、ステップＳ２３３として、通信部６を介して、画像データ及び音声データの送信を出力機器３０に要求する。
【０１５０】
出力機器３０の制御部４０は、ウェアラブル装置２０から画像データ及び音声データの送信要求を受信すると、ステップＳ２３４として、チューナー部３４から画像データ及び音声データを取得する。出力機器３０の制御部４０は、ステップＳ２３５として、通信部３６を介して、画像データ及び音声データをウェアラブル装置２０に送信する。
【０１５１】
以降、出力機器３０の制御部４０は、ステップＳ２３４からステップＳ２３５の処理を繰り返すことで、チューナー部３４から画像データ及び音声データを取得するごとに、当該データをウェアラブル装置２０に送信する。例えば、当該制御部４０は、出力機器３０の出力操作を検出した場合に、画像データの送信を終了してもよい。例えば、当該制御部４０は、ウェアラブル装置２０から送信の停止要求を受けた場合等に、画像データの送信を終了してもよい。
【０１５２】
ウェアラブル装置２０の制御部１０は、通信部６を介して、出力機器３０から画像データ及び音声データを受信すると、ステップＳ２３６として、受信した画像データに基づいた表示画像を表示部２ａ及び２ｂに表示させ、音声データを出力部１１から出力させる。
【０１５３】
以降、ウェアラブル装置２０の制御部１０は、出力機器３０から画像データ及び音声データを受信するごとに、ステップＳ２３６を実行して、受信した画像データに基づいた表示画像を表示部２ａ及び２ｂに表示させる。例えば、当該制御部１０は、操作部３を介して終了操作を検出すると、画像データの送信終了を出力機器３０に要求し、表示画像の表示を終了してもよい。
【０１５４】
ウェアラブル装置２０の制御部１０は、他のユーザが居ないと判定した場合（ステップＳ２３２，Ｎｏ）、処理を既に説明したステップＳ２１２に進める。ステップＳ２１２からステップＳ２１５のシーケンスは、図１２に示すステップＳ２１２からステップＳ２１５と同一であるため、説明は省略する。
【０１５５】
（変形例）
上記の出力システム１のウェアラブル装置２０は、第２状態である場合に、集音した音の音量の変化を検出した場合、音量の調整を実行させるための制御信号を出力機器３０へ送信するように通信部６を制御してもよい。例えば、ウェアラブル装置２０は、音量の変化が音量の減少である場合には、出力機器３０が出力する音声の音量を増大させるための制御信号を、出力機器３０へ送信するように通信部６を制御してもよい。例えば、ウェアラブル装置２０は、音量の変化が音量の増大である場合には、出力機器３０が出力する音声の音量を減少させるための制御信号を、出力機器３０へ送信するように通信部６を制御してもよい。
【０１５６】
実施形態２に係るウェアラブル装置２０は、実施形態１に係るウェアラブル装置２０の変形例を適用することができる。
【０１５７】
（実施形態３）
図１５を参照しながら、上記の出力システム１の他の例について説明する。図１５は、出力機器３０の利用時における出力システム１の動作の他の例を示すシーケンス図である。実施形態３に係る出力システム１は、ウェアラブル装置２０と、出力機器３０とを備える。ウェアラブル装置２０と出力機器３０とは、近距離無線通信を介して、データ通信を行うことができるように構成されている。
【０１５８】
実施形態３に係るウェアラブル装置２０は、制御プログラム９ａの機能が異なる点を除いて、図１から２に示したウェアラブル装置２０と同様の構成を有する。実施形態３に係る出力機器３０は、制御プログラム９１の機能が異なる点を除いて、図１１に示した出力機器３０と同様の構成を有する。以下では、ウェアラブル装置２０及び出力機器３０を例として用いて、実施形態３について説明する。
【０１５９】
出力機器３０の記憶部３９の制御プログラム９１は、ユーザが第１状態であるか、第２状態であるかを判定する機能を提供できる。第１状態は、出力機器３０の表示部３２が表示している表示画像をユーザが視認している状態である。第２状態は、当該表示画像をユーザが視認していない状態である。
【０１６０】
出力機器３０の設定データ９２は、ユーザが表示画像を視認している第１状態であるか否かを判定するための条件データを含む。条件データは、例えば、撮像画像から判定するための条件を示すデータを含む。条件データは、例えば、ユーザの状態を判定するための条件を示すデータを含む。
【０１６１】
出力機器３０の制御部４０は、上記の状態判定部１０ａ及び動作制御部１０ｂを含む。制御部４０は、制御プログラム９１を実行することによって、上記の状態判定部１０ａ及び動作制御部１０ｂを実現できる。
【０１６２】
図１５に示す例では、ユーザは、ウェアラブル装置２０を頭部に装着した状態で、出力機器３０を視聴していることを前提とする。
【０１６３】
図１５に示すように、出力機器３０の制御部４０は、表示部３２が表示中ではないと判定した場合（ステップＳ３０１，Ｎｏ）、ステップＳ３０１の処理を繰り返す。出力機器３０の制御部４０は、表示部３２が表示中であると判定した場合（ステップＳ３０１，Ｙｅｓ）、処理をステップＳ３０２に進める。
【０１６４】
出力機器３０の制御部４０は、ステップＳ３０２として、出力機器３０近傍の所定範囲Ｒ内にユーザが居るか否かを判定する。例えば、当該制御部４０は、撮像部３７が撮像した撮像画像からユーザ、またはウェアラブル装置２０を検出できた場合に、ユーザが居ると判定する。例えば、当該制御部４０は、集音部３８の集音結果と出力している音声データとが一致していない場合に、ユーザが居ると判定する。例えば、当該制御部１０は、他の電子機器からユーザの有無を示す情報を取得し、当該情報がユーザありを示している場合に、ユーザが居ると判定する。
【０１６５】
出力機器３０の制御部４０は、ユーザが居ないと判定した場合（ステップＳ３０３，Ｎｏ）、処理を既に説明したステップＳ３０２に戻す。
【０１６６】
出力機器３０の制御部４０は、ユーザが居ると判定した場合（ステップＳ３０３，Ｙｅｓ）、処理をステップＳ３０４に進める。出力機器３０の制御部４０は、ステップＳ３０４として、表示画像（外部表示画像Ｐ）をユーザが視認している第１状態であると判定したことを記憶部３９に記憶する。
【０１６７】
出力機器３０の制御部４０は、ステップＳ３０５として、接続処理を実行する。本実施形態では、接続処理は、ウェアラブル装置２０の制御部１０と連動する処理である。具体的には、出力機器３０の制御部４０は、通信部３６による近距離無線通信を介して、予め定められたウェアラブル装置２０とコネクションの確立を行う。コネクションの確立は、ユーザにコネクションを確立するウェアラブル装置２０を選択させてもよい。出力機器３０の制御部４０は、接続処理において、出力機器３０の操作に関する制御情報をウェアラブル装置２０に送信することができる。なお、接続処理は、第１状態と判定する前に実行してもよい。
【０１６８】
出力機器３０の制御部４０は、ステップＳ３０６として、出力機器３０近傍の所定範囲内からユーザが居なくなったか否かを判定する。例えば、当該制御部４０は、撮像部３７が撮像した撮像画像からユーザ、またはウェアラブル装置２０が検出できなくなった場合に、ユーザが居なくなったと判定する。例えば、当該制御部４０は、集音部３８の集音結果と出力している音声データとが一致している場合に、ユーザが居なくなったと判定する。例えば、当該制御部４０は、他の電子機器からユーザの有無を示す情報を取得し、当該情報がユーザなしを示している場合に、ユーザが居なくなったと判定する。
【０１６９】
出力機器３０の制御部４０は、ユーザが居なくなってないと判定した場合（ステップＳ３０７，Ｎｏ）、すなわち、ユーザが出力機器３０を視聴している可能性が高い場合、処理を既に説明したステップＳ３０６に戻す。
【０１７０】
出力機器３０の制御部４０は、ユーザが居なくなったと判定した場合（ステップＳ３０７，Ｙｅｓ）、すなわち、ユーザが出力機器３０から離れた可能性が高い場合、処理をステップＳ３０８に進める。出力機器３０の制御部４０は、ステップＳ３０８として、表示画像（外部表示画像Ｐ）をユーザが視認していない第２状態であると判定したことを記憶部３９に記憶する。
【０１７１】
出力機器３０の制御部４０は、ステップＳ３０９として、チューナー部３４から画像データを取得する。出力機器３０の制御部４０は、ステップＳ３１０として、通信部３６を介して、画像データをウェアラブル装置２０に送信する。
【０１７２】
以降、出力機器３０の制御部４０は、ステップＳ３０９からステップＳ３１０の処理を繰り返すことで、チューナー部３４から画像データを取得するごとに、当該画像データをウェアラブル装置２０に送信する。例えば、当該制御部４０は、出力機器３０の出力操作を検出した場合に、画像データの送信を終了してもよい。例えば、当該制御部４０は、ウェアラブル装置２０から送信の停止要求を受けた場合等に、画像データの送信を終了してもよい。
【０１７３】
ウェアラブル装置２０の制御部１０は、出力機器３０から画像データを受信すると、ステップＳ３１１として、受信した画像データに基づいた表示画像を表示部２ａ及び２ｂに表示させる。
【０１７４】
以降、ウェアラブル装置２０の制御部１０は、出力機器３０から画像データを受信するごとに、ステップＳ３１１を実行して、受信した画像データに基づいた表示画像を表示部２ａ及び２ｂに表示させる。例えば、当該制御部１０は、操作部３を介して終了操作を検出すると、画像データの送信終了を出力機器３０に要求し、表示画像の表示を終了してもよい。
【０１７５】
このように、出力システム１の出力機器３０は、ユーザが表示部３２の表示画像を視認している第１状態から第２状態へ遷移したことを契機に、表示している表示画像に対応する画像データをウェアラブル装置２０へ送信することができる。出力システム１のウェアラブル装置２０は、出力機器３０から受信した画像データに基づき表示画像を表示部２ａ及び２ｂに表示させることができる。その結果、ユーザは、出力機器３０の外部表示画像を視認している状態から移動しても、ウェアラブル装置２０によって外部表示画像を継続して視認することができる。
【０１７６】
上記の出力システム１は、出力機器３０が画像データを取得してウェアラブル装置２０に送信する場合について説明したが、これに限定されない。例えば、出力システム１は、出力機器３０が画像データを送信する代わりに、例えば、選局中のチャンネル、画像データの取得先等をウェアラブル装置２０に通知し、ウェアラブル装置２０が当該通知に基づいて画像データを取得してもよい。
【０１７７】
実施形態３の出力システム１は、出力機器３０の撮像部３７と集音部３８とが相対変化検出部２１に含まれる場合について説明したが、これに限定されない。例えば、当該出力システム１は、ウェアラブル装置２０の相対変化検出部２１の検出結果を、出力機器３０が取得して用いてもよい。
【０１７８】
実施形態３に係る出力機器３０は、実施形態１及び２に係るウェアラブル装置２０の変形例を変形して適用してもよい。
【０１７９】
（実施形態４）
図１６を参照しながら、上記のウェアラブル装置２０及び出力機器３０を備える出力システム１Ａについて説明する。図１６は、出力システム１Ａの全体的な構成を示す図である。出力システム１は、ウェアラブル装置２０と、出力機器３０と、中継器５０とを備える。ウェアラブル装置２０及び出力機器３０は、近距離無線通信または有線による通信を介して、中継器５０とデータ通信を行うことができるように構成されている。中継器５０は、ウェアラブル装置２０と出力機器３０との位置関係を検出できるように配置されている。中継器５０は、例えば、ルーター、監視装置、警報器、照明器具等を用いることができる。
【０１８０】
実施形態４に係るウェアラブル装置２０は、制御プログラム９ａの機能が異なる点を除いて、図１から２に示したウェアラブル装置２０と同様の構成を有する。以下では、ウェアラブル装置２０を例として用いて、実施形態４について説明する。
【０１８１】
実施形態４に係る出力機器３０は、制御プログラム９１の機能が異なる点を除いて、図１１に示した出力機器３０と同様の構成を有する。以下では、出力機器３０を例として用いて、実施形態４について説明する。
【０１８２】
図１７を参照しながら、中継器５０の構成について説明する。図１７は、中継器５０のブロック図である。図１７に示すように、中継器５０は、通信部５１と、撮像部５２と、集音部５３と、記憶部５４と、制御部５５とを備える。
【０１８３】
通信部５１は、無線により通信できる。通信部５１は、近距離無線通信方式をサポートできる。近距離無線通信方式には、Ｂｌｕｅｔｏｏｔｈ（登録商標）、無線ＬＡＮ（ＩＥＥＥ８０２．１１）、ＺｉｇＢｅｅ（登録商標）、赤外線通信、可視光通信、ＮＦＣ（Ｎｅａｒ  Ｆｉｅｌｄ  Ｃｏｍｍｕｎｉｃａｔｉｏｎ）等を含む。通信部５１は、複数の通信方式をサポートしてもよい。通信部５１は、例えば、２Ｇ、３Ｇ、４Ｇ等のセルラーフォンの通信規格をサポートしてもよい。
【０１８４】
撮像部５２は、出力機器３０の前方における撮像範囲を撮像できる。撮像範囲は、ユーザが出力機器３０を視聴する位置を含む。撮像部５２は、ＣＣＤ（Ｃｈａｒｇｅ  Ｃｏｕｐｌｅｄ  Ｄｅｖｉｃｅ  Ｉｍａｇｅ  Ｓｅｎｓｏｒ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサを用いて電子的に画像を撮像できる。撮像部５２は、撮像した画像を信号に変換して制御部５５へ出力できる。
【０１８５】
集音部５３は、出力機器３０の前方の音を集音できる。集音部５３は、例えば、マイクを含む。集音部５３は、集音結果を音信号へ変換して制御部５５へ入力できる。
【０１８６】
記憶部５４は、プログラム及びデータを記憶できる。記憶部５４は、制御部５５の処理結果を一時的に記憶する作業領域としても利用される。記憶部５４は、半導体記憶媒体、及び磁気記憶媒体等の任意の非一過的（ｎｏｎ−ｔｒａｎｓｉｔｏｒｙ）な記憶媒体を含んでよい。記憶部５４は、複数の種類の記憶媒体を含んでよい。記憶部５４は、メモリカード、光ディスク、又は光磁気ディスク等の可搬の記憶媒体と、記憶媒体の読み取り装置との組み合わせを含んでよい。記憶部３９は、ＲＡＭ（Ｒａｎｄｏｍ  Ａｃｃｅｓｓ  Ｍｅｍｏｒｙ）等の一時的な記憶領域として利用される記憶デバイスを含んでよい。
【０１８７】
記憶部５４は、例えば、制御プログラム５４ａ、設定データ５４ｂ、撮像データ５４ｃ及び音データ５４ｄを記憶できる。制御プログラム５４ａは、中継器５０を稼動させるための各種制御に関する機能を提供できる。制御プログラム５４ａは、例えば、通信部５１を制御することによって、外部の電子機器との通信を実現させる。制御プログラム５４ａは、画像データを外部の電子機器に配信する機能を提供できる。制御プログラム５４ａは、ユーザが第１状態であるか、第２状態であるかを判定する機能を提供できる。
【０１８８】
設定データ５４ｂは、中継器５０の動作に関する各種の設定に関する情報を含む。設定データ５４ｂは、ユーザが出力機器３０の表示画像を視認している第１状態であるか否かを判定するための条件データを含んでもよい。条件データは、例えば、撮像画像から判定するための条件を示すデータを含む。条件データは、例えば、ユーザの状態を判定するための条件を示すデータを含む。
【０１８９】
撮像データ５４ｃは、撮像部５２によって撮像範囲を撮像した撮像画像を示すデータである。撮像データ５４ｃは、例えば、静止画データと動画データとが含まれる。撮像データ５４ｃには、撮像部５２の撮像結果として送信されてくる撮像画像を時系列的に記憶できる。
【０１９０】
音データ５４ｄは、集音部５３によって集音された音を示すデータである。音データ５４ｄは、例えば、音量、音の波形、周波数等を示すデータを含む。音データ５４ｄには、集音部５３の集音結果として送信されてくる音データを時系列的に記憶できる。
【０１９１】
制御部５５は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、及びコプロセッサを含むが、これらに限定されない。制御部５５は、中継器５０の動作を統括的に制御できる。制御部５５の各種機能は、制御部５５の制御に基づいて実現される。
【０１９２】
具体的には、制御部５５は、記憶部５４に記憶されているプログラムに含まれる命令を実行できる。制御部５５は、記憶部５４に記憶されているデータを必要に応じて参照できる。制御部５５は、データ及び命令に応じて機能部を制御する。制御部５５は、機能部を制御することによって、各種機能を実現する。機能部は、例えば、通信部５１、撮像部５２、及び集音部３８を含むが、これらに限定されない。
【０１９３】
制御部５５は、上記のウェアラブル装置２０の状態判定部１０ａ及び動作制御部１０ｂを含む。制御部５５は、制御プログラム５４ａを実行することによって、状態判定部１０ａ及び動作制御部１０ｂを実現する。状態判定部１０ａは、第１状態であるか、第２状態であるかを判定する機能を提供できる。
【０１９４】
実施形態４では、出力システム１Ａは、撮像部５２と集音部５３とが相対変化検出部２１に含まれる場合について説明したが、これに限定されない。例えば、当該出力システム１は、ウェアラブル装置２０の相対変化検出部２１の検出結果を、中継器５０が取得して用いてもよい。
【０１９５】
図１８を参照しながら、ユーザが出力機器３０を利用している時におけるウェアラブル装置２０、出力機器３０及び中継器５０の動作について説明する。図１８は、出力機器３０の利用時における出力システム１Ａの動作を示すシーケンス図である。図１８に示すウェアラブル装置２０の動作は、ウェアラブル装置２０の制御部１０が制御プログラム９ａを実行することによって実現される。図１８に示す出力機器３０の動作は、出力機器３０の制御部４０が制御プログラム９１を実行することによって実現される。図１８に示す中継器５０の動作は、中継器５０の制御部５５が制御プログラム５４ａを実行することによって実現される。図１８に示す例では、ウェアラブル装置２０と中継器５０は、コネクションが確立されていることを前提とする。図１８に示す例では、出力機器３０と中継器５０とは、コネクションが確立されていることを前提とする。
【０１９６】
図１８に示すように、出力機器３０の制御部４０は、ステップＳ４１１として、通信部３６を介して、映像データの送信を中継器５０に要求する。
【０１９７】
中継器５０の制御部５５は、出力機器３０から映像データの送信要求を受信すると、ステップＳ４１２として、出力機器３０への映像データ（画像データ）の送信処理を実行する。本実施形態では、送信処理は、例えば、外部の電子機器から画像データ及び音声データを含む映像データを受信し、当該受信した画像データ及び音声データを出力機器３０へ送信する処理を含む。その結果、中継器５０は、画像データ及び音声データの出力機器３０への配信を開始する。
【０１９８】
出力機器３０の制御部４０は、中継器５０から映像データを受信すると、ステップＳ４１３として、受信した画像データを表示部３２に表示させ、受信した音声データを出力部４１から出力させる。その結果、出力機器３０は、表示部３２に表示画像（外部表示画像Ｐ）を表示し、出力部４１から音を出力する。なお、ユーザは、ウェアラブル装置２０を頭部に装着した状態で、出力機器３０を視聴していることを前提とする。
【０１９９】
中継器５０の制御部５５は、ステップＳ４１４として、撮像範囲（所定範囲Ｒ）内にウェアラブル装置２０を検出したか否かを判定する。例えば、当該制御部５５は、撮像部５２が撮像した撮像画像からユーザを検出できた場合、かつ、予め定められたウェアラブル装置２０との通信可能な場合に、ウェアラブル装置２０を検出したと判定する。なお、中継器５０の制御部５５は、撮像部５２によってユーザの頭部の撮影が可能であれば、撮像部５２が撮像した撮像画像からユーザを検出できた場合に、ウェアラブル装置２０を検出したと判定する。
【０２００】
中継器５０の制御部５５は、ウェアラブル装置２０を検出していないと判定した場合（ステップＳ４１５，Ｎｏ）、処理を既に説明したステップＳ４１４に戻す。
【０２０１】
中継器５０の制御部５５は、ウェアラブル装置２０を検出したと判定した場合（ステップＳ４１５，Ｙｅｓ）、処理をステップＳ４１６に進める。中継器５０の制御部５５は、ステップＳ４１６として、表示画像（外部表示画像Ｐ）をユーザが視認している第１状態であると判定したことを記憶部５４に記憶する。
【０２０２】
中継器５０の制御部５５は、ステップＳ４１７として、撮像範囲（所定範囲Ｒ）外へウェアラブル装置２０が移動したか否かを判定する。例えば、当該制御部５５は、撮像部５２が撮像した撮像画像からユーザを検出できない場合に、ウェアラブル装置２０を検出したと判定する。
【０２０３】
中継器５０の制御部５５は、撮像範囲外へウェアラブル装置２０が移動していないと判定した場合（ステップＳ４１８，Ｎｏ）、すなわち、ユーザが出力機器３０を視聴している可能性が高い場合、処理を既に説明したステップＳ４１７に戻す。
【０２０４】
中継器５０の制御部５５は、撮像範囲外へウェアラブル装置２０が移動したと判定した場合（ステップＳ４１８，Ｙｅｓ）、すなわち、ユーザが出力機器３０から離れた可能性が高い場合、処理をステップＳ４１９に進める。中継器５０の制御部５５は、ステップＳ４１９として、表示画像（外部表示画像Ｐ）をユーザが視認していない第２状態であると判定したことを記憶部５４に記憶する。
【０２０５】
中継器５０の制御部５５は、ステップＳ４２０として、出力機器３０への映像の送信を停止する。なお、本実施形態では、中継器５０の制御部５５は、第１状態から第２状態への遷移を契機に、映像（画像データ）の出力機器３０への送信を停止する場合について説明するが、これに限定されない。例えば、中継器５０の制御部５５は、第１状態から第２状態に遷移しても、映像の出力機器３０への送信を継続させてもよい。
【０２０６】
中継器５０の制御部５５は、ステップＳ４２１として、ウェアラブル装置２０への映像データ（画像データ）の送信処理を実行する。本実施形態では、送信処理は、例えば、外部の電子機器から画像データ及び音声データを含む映像データを受信し、当該受信した画像データ及び音声データをウェアラブル装置２０へ送信する処理を含む。その結果、中継器５０は、画像データ及び音声データのウェアラブル装置２０への配信を開始する。
【０２０７】
ウェアラブル装置２０の制御部１０は、中継器５０から映像データを受信すると、ステップＳ４２２として、受信した画像データに基づいた表示画像を表示部２ａ及び２ｂに表示させ、受信した音声データを出力部１１から出力させる。その結果、ウェアラブル装置２０は、表示部２ａ及び２ｂに表示画像を表示し、出力部１１から音を出力する。
【０２０８】
上記の出力システム１Ａは、中継器５０が映像を出力機器３０に配信する場合について説明したが、これに限定されない。例えば、出力システム１Ａは、上記の出力システム１の出力機器３０と同様に、出力機器３０がチューナー部３４で受信した表示画像を表示してもよい。この場合、中継器５０は、第１状態から第２状態の遷移を契機に、出力機器３０から画像データを受信し、当該画像データをウェアラブル装置２０に送信すればよい。
【０２０９】
上記の実施形態では、ウェアラブル装置２０は、ユーザの左右の目の前に設けられる一対の表示部２ａ、２ｂを有している構成を例示してきたが、これに限定されない。例えば、ウェアラブル装置２０は、ユーザの左右の目の内の一方の前に設けられる一つの表示部を有している構成であっても良い。
【０２１０】
上記の実施形態では、ウェアラブル装置２０は、制御部１０を状態判定部１０ａとして機能させる場合について説明したが、これに限定されない。例えば、ウェアラブル装置２０は、制御部１０とは別の構成として状態判定部１０ａを追加してもよい。例えば、ウェアラブル装置２０は、撮像部７、集音部８及び検出部９の何れか１つを含む状態判定部１０ａとして、制御部１０とは別に設けてもよい。なお、状態判定部１０ａは、出力機器３０及び中継器５０にも同様に設けることができる。
【０２１１】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【０２１２】
例えば、上記の実施形態では、ウェアラブル装置２０が、第１状態において、撮像部７が撮像した撮像画像に基づいて、所定範囲Ｒ内から外部表示画像Ｐが外れたか否かを判定し、所定範囲Ｒ内から外部表示画像Ｐが外れたと判定した場合に、第２状態であると判定する構成を説明したが、これに限定されない。例えば、ウェアラブル装置２０は、第１状態において、外部表示画像Ｐと出力機器３０における外部表示画像Ｐの表示領域の外枠部分（フレーム）を撮像部７の撮像画像から予め検出しており、当該撮像画像に基づいて、所定範囲Ｒ内から外部表示画像Ｐと出力機器３０における前記外郭部分との双方が外れた場合に、第２状態であると判定する構成としてもよい。
【０２１３】
また、ウェアラブル装置２０は、上記の種々の方法、条件に基づいて、第１条件であると判定することを説明したが、それらに限定されず、例えば、ウェアラブル装置２０は、上記の撮像部７とは異なる、ユーザの瞳孔を撮像可能な撮像部をさらに備え、該撮像部の撮像画像から、ユーザの瞳孔に映る映像の内容が所定の条件を満たす場合に、ユーザが外部表示画像を視認している第１状態と判定するようにしてもよい。所定の条件は、例えば、ユーザの瞳孔に映る映像が動画像である、としてもよい。また、ユーザの瞳孔を撮像可能な撮像部は、ウェアラブル装置２０の前面部２０ａにおけるユーザの顔面に対向する面に設けられるとよい。
【０２１４】
また、出力機器３０に対して赤外線信号を送信することが可能なリモートコントローラが存在する場合に、リモートコントローラから出力機器３０へ送信され、該出力機器３０から反射された赤外線信号をウェアラブル装置２０の検出部１６が検出したことに基づいて第１状態であると判定するようにしてもよい。ウェアラブル装置２０は、検出部１６によって検出される、リモートコントローラから送信された赤外線信号が、出力機器３０に出力処理を実行させるための制御データを含むか否かを判定し、出力処理を実行させるための制御データを含むと判定した場合に、第１状態であると判定するようにしてもよい。
【０２１５】
上記の実施形態では、ウェアラブル装置２０の構成と動作、或いは、出力システムについて説明したが、これに限定されず、各構成要素を備える方法やプログラムとして構成されても良い。
【符号の説明】
【０２１６】
１、１Ａ  出力システム
２ａ、２ｂ  表示部
３  操作部
６  通信部
７  撮像部
８  集音部
９  記憶部
１０  制御部
１０ａ  状態判定部
１０ｂ  動作制御部
１１  出力部
１６  検出部
２０  ウェアラブル装置
２０ａ  前面部
２０ｂ  側面部
２０ｃ  側面部
３０  出力機器
３２  表示部
３３  操作部
３４  チューナー部
３６  通信部
３７  撮像部
３８  集音部
３９  記憶部
４０  制御部
４１  出力部
５０  中継器
【図１】
0006529383.tif 000002
【図２】
0006529383.tif 000003
【図３】
0006529383.tif 000004
【図４】
0006529383.tif 000005
【図５】
0006529383.tif 000006
【図６】
0006529383.tif 000007
【図７】
0006529383.tif 000008
【図８】
0006529383.tif 000009
【図９】
0006529383.tif 000010
【図１０】
0006529383.tif 000011
【図１１】
0006529383.tif 000012
【図１２】
0006529383.tif 000013
【図１３】
0006529383.tif 000014
【図１４】
0006529383.tif 000015
【図１５】
0006529383.tif 000016
【図１６】
0006529383.tif 000017
【図１７】
0006529383.tif 000018
【図１８】
0006529383.tif 000019